(57)【要約】  いくつかの例示的な実施形態は、帯域プラン及びチャネル化に従う無線通信の装置、デバイス、システム及び方法を含む。例えば、装置は、無線ステーションに、ミリメートル波（ｍｍＷａｖｅ）周波数帯域を介した送信のために構成されたフレームを生成させ、予め定義されたチャネル幅を有する複数のチャネルとワイドチャネルを含む複数のワイドチャネルとを有する帯域プランに従って、ｍｍＷａｖｅ周波数帯域内のワイドチャネルを介してフレームの指向性送信を処理させるように構成された回路を含むことができ、ワイドチャネルは予め定義されたチャネル幅の整数倍である幅を有する。
2018524829.tif 000002
【特許請求の範囲】
【請求項１】
無線通信ステーション（ＳＴＡ）に、
無線媒体を介して送信されるフレームを処理することと、
４５ギガヘルツ（ＧＨｚ）を超える周波数帯域内にあるチャネルを介して前記フレームを送信することであって、該チャネルは、少なくとも４．３２ＧＨｚの帯域幅（ＢＷ）を有し、２．１６ＧＨｚチャネル幅の整数倍を含む、送信することと、
をさせるように構成されたロジック及び回路を含む装置。
【請求項２】
前記チャネルは、隣接する少なくとも２つの２．１６ＧＨｚチャネル幅を含む、請求項１に記載の装置。
【請求項３】
前記チャネルは、隣接しない少なくとも２つの２．１６ＧＨｚチャネル幅を含む、請求項１に記載の装置。
【請求項４】
前記チャネルは、２つの２．１６ＧＨｚチャネル幅を含む４．３２ＧＨｚチャネルを含む、請求項１に記載の装置。
【請求項５】
前記チャネルのチャネル中心周波数は、前記チャネルのチャネル番号に基づく、請求項４に記載の装置。
【請求項６】
前記チャネルのチャネル中心周波数は、次のようなチャネル開始周波数、チャネル間隔及び前記チャネル番号に基づく、請求項５に記載の装置。
チャネル中心周波数＝チャネル開始周波数＋（チャネル間隔／２）×（チャネル番号  ｍｏｄ  ８）＋１．０８（ＧＨｚ）
【請求項７】
前記チャネル開始周波数は５６．１６ＧＨｚである、請求項６に記載の装置。
【請求項８】
前記チャネル間隔が４．３２ＧＨｚである、請求項６に記載の装置。
【請求項９】
前記チャネル番号は少なくとも９である、請求項５に記載の装置。
【請求項１０】
前記チャネル番号は９、１０又は１１である、請求項５に記載の装置。
【請求項１１】
前記チャネルは、３つの２．１６ＧＨｚチャネル幅を含む６．４８ＧＨｚチャネルを含む、請求項１に記載の装置。
【請求項１２】
前記チャネルのチャネル中心周波数は、前記チャネルのチャネル番号に基づく、請求項１１に記載の装置。
【請求項１３】
前記チャネルのチャネル中心周波数は、チャネル開始周波数、チャネル間隔及び前記チャネル番号に基づく、請求項１２に記載の装置。
【請求項１４】
前記チャネルのチャネル中心周波数は前記チャネル開始周波数と第１の値との和に基づき、該第１の値は第２の値と第３の値との積に基づき、該第２の値は前記チャネル間隔を３で割ったものを含み、該第３の値は前記チャネル番号に基づく、請求項１３に記載の装置。
【請求項１５】
前記チャネル開始周波数は５６．１６ＧＨｚである、請求項１３に記載の装置。
【請求項１６】
前記チャネル間隔は６．４８ＧＨｚである、請求項１３に記載の装置。
【請求項１７】
前記チャネルは、４つの２．１６ＧＨｚチャネル幅を含む８．６４ＧＨｚチャネルを含む、請求項１に記載の装置。
【請求項１８】
前記チャネルのチャネル中心周波数は、前記チャネルのチャネル番号に基づく、請求項１７に記載の装置。
【請求項１９】
前記チャネルのチャネル中心周波数は、チャネル開始周波数、チャネル間隔及び前記チャネル番号に基づく、請求項１８に記載の装置。
【請求項２０】
前記チャネルのチャネル中心周波数は前記チャネル開始周波数と第１の値との和に基づき、該第１の値は第２の値と第３の値との積に基づき、該第２の値は前記チャネル間隔を４で割ったものを含み、該第３の値は前記チャネル番号に基づく、請求項１９に記載の装置。
【請求項２１】
前記チャネル開始周波数は５６．１６ＧＨｚである、請求項１９に記載の装置。
【請求項２２】
前記チャネル間隔が８．６４ＧＨｚである、請求項１９に記載の装置。
【請求項２３】
前記チャネルのチャネル中心周波数は、前記チャネルのチャネル番号に基づく、請求項１に記載の装置。
【請求項２４】
前記チャネル番号が少なくとも９である、請求項２３に記載の装置。
【請求項２５】
前記チャネルのチャネル中心周波数は、チャネル開始周波数、チャネル間隔及びチャネル番号に基づく、請求項２３に記載の装置。
【請求項２６】
前記チャネル間隔は前記チャネルの帯域幅に等しく、前記チャネル開始周波数は５６．１６ＧＨｚである、請求項２５に記載の装置。
【請求項２７】
媒体アクセス制御（ＭＡＣ）及び物理層（ＰＨＹ）を含む、請求項１から２６のいずれか一項に記載の装置。
【請求項２８】
前記ＳＴＡが、指向性マルチギガビット（ＤＭＧ）ＳＴＡを含む、請求項１から２６のいずれか一項に記載の装置。
【請求項２９】
無線機と、１つ以上のアンテナを含む、請求項１から２６のいずれか一項に記載の装置。
【請求項３０】
無線通信ステーション（ＳＴＡ）によって実行される無線通信の方法であって、
無線媒体を介して送信されるフレームを処理するステップと、
４５ギガヘルツ（ＧＨｚ）を超える周波数帯域内にあるチャネルを介して前記フレームを送信するステップであって、該チャネルは、少なくとも４．３２ＧＨｚの帯域幅（ＢＷ）を有し、２．１６ＧＨｚチャネル幅の整数倍を含む、送信するステップと、
を含む方法。
【請求項３１】
前記チャネルのチャネル中心周波数は、次のようなチャネル開始周波数、チャネル間隔及び前記チャネル番号に基づく、請求項３０に記載の装置。
チャネル中心周波数＝チャネル開始周波数＋（チャネル間隔／２）×（チャネル番号  ｍｏｄ  ８）＋１．０８（ＧＨｚ）
【請求項３２】
前記チャネルは３つの２．１６ＧＨｚチャネル幅を含む６．４８ＧＨｚチャネルを含み、前記チャネルのチャネル中心周波数はチャネル開始周波数と第１の値との和に基づき、該第１の値は第２の値と第３の値の積に基づき、該第２の値はチャネル間隔を３で割ったものを含み、該第３の値はチャネル番号に基づく、請求項３０に記載の方法。
【請求項３３】
前記チャネルは４つの２．１６ＧＨｚチャネル幅を含む８．６４ＧＨｚチャネルを含み、前記チャネルのチャネル中心周波数は、チャネル開始周波数と第１の値との和に基づき、該第１の値は第２の値と第３の値との積に基づき、該第２の値はチャネル間隔を４で割ったものを含み、該第３の値はチャネル番号に基づく、請求項３０に記載の方法。
【請求項３４】
無線通信ステーション（ＳＴＡ）に、請求項３０から３３のいずれか一項に記載の方法を実行させるコンピュータプログラム。
【請求項３５】
請求項３４に記載のコンピュータプログラムを記憶するための１つ以上のコンピュータ読み取り可能記憶媒体。
【発明の詳細な説明】
【技術分野】
【０００１】
本出願は、２０１５年４月３０日に出願された「Apparatus,  System  and  Method  of  Wireless  Communication  According  to  A  Band  Plan  and  Channelization」と題する米国仮特許出願第６２／１５４，８８９号の利益及び優先権を主張し、その全開示は参照により本明細書に援用される。
【０００２】
本明細書で説明する実施形態は、概して、例えばミリ波帯での帯域プラン（band  plan）及び／又はチャネル化による無線通信に関する。
【背景技術】
【０００３】
ミリ波帯での無線通信ネットワークは、無線通信デバイスのユーザに高速データアクセスを提供することができる。
【０００４】
いくつかの仕様及び／又はプロトコルによれば、デバイスは、単一チャネル帯域幅（ＢＷ）ですべての送信及び受信を実行するように構成され得る。
【図面の簡単な説明】
【０００５】
説明を簡潔にかつ明瞭にするために、図に示す要素は必ずしも縮尺通りに描いていない。例えば、いくつかの要素の寸法を、提示を明確にするために、他の要素に対して誇張することがある。さらに、符号を、対応するあるいは類似する要素を示すために複数の図で繰り返すことがある。図を以下に挙げる。
【図１】いくつかの例示的な実施形態に従う、システムの概略ブロック図である。
【図２】いくつかの例示的な実施形態に従う、非重複帯域プラン及びチャネル化の概略図である。
【図３】いくつかの例示的な実施形態に従う、重複帯域プラン及びチャネル化の概略図である。
【図４】いくつかの例示的な実施形態に従う、帯域プラン及びチャネル化による無線通信の方法の概略フローチャート図である。
【図５】いくつかの例示的な実施形態に従う、製造物の概略図である。
【発明を実施するための形態】
【０００６】
以下の発明を実施するための形態では、いくつかの実施形態の完全な理解を提供するために、多数の特定の詳細を記載している。しかし、当業者であれば、これらの特定な詳細なしにいくつかの実施形態を実施し得ることを理解するであろう。他の例では、周知の方法、手順、コンポーネント、ユニット及び／又は回路は、議論を不明瞭にしないように詳細には説明していない。
【０００７】
本明細書での議論では、例えば、「処理する」、「計算する」、「演算する」、「計算する」、「決定する」、「確立する」、「分析する」、「確認する（checking）」等の用語を利用するが、コンピュータ、コンピューティングシステム又は他の電子コンピューティングデバイスの動作及び／又は処理を指し示すことができ、それらは、コンピュータのレジスタ及び／又はメモリ内の物理（例えば、電子的）量として表されるデータを操作する、及び／又はそれらをコンピュータのレジスタ、メモリ又は処理を実行するための命令を記憶し得る他の情報記憶媒体内の物理量として同様に表される他のデータに変換するものである。
【０００８】
本明細書で使用する「複数（plurality  and  a  plurality）」という用語は、例えば、「複数（multiple）」又は「２つ以上」を含む。例えば、「複数のアイテム」とは、２つ以上のアイテムを含む。
【０００９】
「一実施形態」、「実施形態」、「例示的な実施形態」、「様々な実施形態」等の言及は、そのように説明する実施形態が特定の特徴、構造又は特性を含むことができるが、必ずしもすべての実施形態がその特定の特徴、構造又は特性を含むわけではないことを示す。さらに、「一実施形態では」という語句を繰り返し使用しても、必ずしも同じの実施形態を指さなくてもよいが、同じ実施形態を指す場合もあり得る。
【００１０】
本明細書で使用する場合、特に指定しない限り、共通オブジェクトを説明するための序数の形容詞「第１の」、「第２の」、「第３の」等の使用は、類似オブジェクトの異なるインスタンスが参照されていることを単に指示するだけであり、そのように説明するオブジェクトが、時間的若しくは空間的のいずれかによる所与の順序にある、順位付けされている、あるいは他のやり方に沿ったものでなくてはならないと示唆することを意図していない。
【００１１】
いくつかの実施形態は、様々なデバイス及びシステム、例えばユーザ機器（ＵＥ）、モバイルデバイス（ＭＤ）、無線ステーション（ＳＴＡ）、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナルデジタルアシスタント（ＰＤＡ）デバイス、ハンドヘルドＰＤＡデバイス、オンボードデバイス、オフボードデバイス、ハイブリッドデバイス、車両デバイス、非車両デバイス、モバイルデバイス若しくはポータブルデバイス、消費者デバイス、非モバイルデバイス若しくは非ポータブルデバイス、無線通信ステーション、無線通信デバイス、無線アクセスポイント（ＡＰ）、有線又は無線ルータ、有線又は無線モデム、ビデオデバイス、オーディオデバイス、オーディオビデオ（Ａ／Ｖ）デバイス、有線又は無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）等と共に使用され得る。
【００１２】
いくつかの実施形態は、既存のＩＥＥＥ８０．１１規格（IEEE  802.11-2012  (IEEE  802.11-2012,  IEEE  Standard  for  Information  technology--Telecommunications  and  information  exchange  between  systems  Local  and  metropolitan  area  networks--Specific  requirements  Part  11:  Wireless  LAN  Medium  Access  Control  (MAC)  and  Physical  Layer  (PHY)  Specifications,  March  29,  2012);  IEEE802.11ac-2013  (“IEEE  P802.11ac-2013,  IEEE  Standard  for  Information  Technology  -  Telecommunications  and  Information  Exchange  Between  Systems  -  Local  and  Metropolitan  Area  Networks  -  Specific  Requirements  -  Part  11:  Wireless  LAN  Medium  Access  Control  (MAC)  and  Physical  Layer  (PHY)  Specifications  -  Amendment  4:  Enhancements  for  Very  High  Throughput  for  Operation  in  Bands  below  6GHz”,  December,  2013);  IEEE  802.11ad  (“IEEE  P802.11ad-2012,  IEEE  Standard  for  Information  Technology  -  Telecommunications  and  Information  Exchange  Between  Systems  -  Local  and  Metropolitan  Area  Networks  -  Specific  Requirements  -  Part  11:  Wireless  LAN  Medium  Access  Control  (MAC)  and  Physical  Layer  (PHY)  Specifications  -  Amendment  3:  Enhancements  for  Very  High  Throughput  in  the  60GHz  Band”,  28  December,  2012);  IEEE-802.11REVmc  (“IEEE  802.11-REVmcTM/D3.0,  June  2014  draft  standard  for  Information  technology  -  Telecommunications  and  information  exchange  between  systems  Local  and  metropolitan  area  networks  Specific  requirements;  Part  11:  Wireless  LAN  Medium  Access  Control  (MAC)  and  Physical  Layer  (PHY)  Specification”);  IEEE802.11-ay  (P802.11ay  Standard  for  Information  Technology--Telecommunications  and  Information  Exchange  Between  Systems  Local  and  Metropolitan  Area  Networks--Specific  Requirements  Part  11:  Wireless  LAN  Medium  Access  Control  (MAC)  and  Physical  Layer  (PHY)  Specifications--Amendment:  Enhanced  Throughput  for  Operation  in  License-Exempt  Bands  Above  45  GHz)を含む）及び／又は将来のバージョン及び／又はその派生物に従って動作するデバイス及び／又はネットワーク、既存のワイヤレスギガビットアライアンス（ＷＧＡ）仕様（Wireless  Gigabit  Alliance,  Inc  WiGig  MAC  and  PHY  Specification  Version  1.1,  April  2011,  Final  specification）及び／又は将来のバージョン及び／又はその派生物に従って動作するデバイス及び／又はネットワーク、既存のワイヤレスフィディリティー（ＷｉＦｉ）アライアンス（ＷＦＡ）ピアツーピア（Ｐ２Ｐ）ネットワーク仕様（“WiFi  Peer-to-Peer  (P2P)  technical  specification,  version  1.5,  August  4,  2014”を含む）及び／又は将来のバージョン及び／又はその派生物に従って動作するデバイス及び／又はネットワーク、既存のセルラー仕様及び／又はプロトコル、例えば第３世代パートナーシッププロジェクト（３ＧＰＰ）、３ＧＰＰロングタームエボリューション（ＬＴＥ）及び／又は将来のバージョン及び／又はその派生物に従って動作するデバイス及び／又はネットワーク、上記ネットワークの一部であるユニット及び／又はデバイス等と共に使用され得る。
【００１３】
いくつかの実施形態は、一方向及び／又は双方向無線通信システム、セルラー無線電話通信システム、携帯電話（a  mobile  phone,  a  cellular  telephone）、無線電話、パーソナル通信システム（ＰＣＳ）デバイス、無線通信デバイスを組み込んだＰＤＡデバイス、モバイル又はポータブル全地球測位システム（ＧＰＳ）デバイス、ＧＰＳ受信機若しくはトランシーバ又はチップを組み込んだデバイス、ＲＦＩＤ素子又はチップを組み込んだデバイス、多入力多出力（ＭＩＭＯ）トランシーバ又はデバイス、単入力多出力（ＳＩＭＯ）トランシーバ又はデバイス、他入力単出力（ＭＩＳＯ）トランシーバ又はデバイス、１つ以上の内部アンテナ及び／又は外部アンテナを有するデバイス、デジタルビデオブロードキャスト（ＤＶＢ）デバイス又はシステム、マルチスタンダード無線デバイス又はシステム、有線又は無線のハンドヘルドデバイス、例えば、スマートフォン、無線アプリケーションプロトコル（ＷＡＰ）デバイス等と共に使用され得る。
【００１４】
いくつかの実施形態は、１つ以上のタイプの無線通信信号及び／又はシステム、例えば無線周波数（ＲＦ）、赤外線（ＩＲ）、周波数分割多重（ＦＤＭ）、直交ＦＤＭ（ＯＦＤＭ）、直交周波数分割多元接続（ＯＦＤＭＡ）、ＦＤＭ時分割多重（ＴＤＭ）、時分割多元接続（ＴＤＭＡ）、マルチユーザＭＩＭＯ（ＭＵ−ＭＩＭＯ）、空間分割多元接続（ＳＤＭＡ）、拡張ＴＤＭＡ（Ｅ−ＴＤＭＡ）、汎用パケット無線サービス（ＧＰＲＳ）、拡張ＧＰＲＳ、符号分割多元接続（ＣＤＭＡ）、広帯域ＣＤＭＡ（ＷＣＤＭＡ（登録商標））、ＣＤＭＡ２０００、シングルキャリアＣＤＭＡ、マルチキャリアＣＤＭＡ、離散マルチトーン（ＤＭＴ）、Ｂｌｕｅｔｏｏｔｈ（登録商標）、全地球測位システム（ＧＰＳ）、Ｗｉ−Ｆｉ、Ｗｉ−Ｍａｘ、ＺｉｇＢｅｅ（登録商標）、ウルトラワイドバンド（ＵＷＢ）、グローバルシステムフォーモバイルコミュニケーション（ＧＳＭ（登録商標））、２Ｇ、２．５Ｇ、３Ｇ、３．５Ｇ、４Ｇ、第５世代（５Ｇ）又は第６世代（６Ｇ）モバイルネットワーク、３ＧＰＰ、ロングタームエボリューション（ＬＴＥ）、ＬＴＥアドバンス、ＧＳＭ（登録商標）進化型高速データレート（ＥＤＧＥ）等と共に使用され得る。他の実施形態は、様々な他のデバイス、システム及び／又はネットワークで使用され得る。
【００１５】
本明細書で使用する場合、「無線デバイス」とは、例えば無線通信可能なデバイス、無線通信可能な通信デバイス、無線通信可能な通信ステーション、無線通信可能なポータブルあるいは非ポータブルデバイス等を含む。いくつかの例示的な実施形態では、無線デバイスは、コンピュータと一体化された周辺機器、又はコンピュータに取り付けられた周辺機器である、あるいはそれらを含むことができる。いくつかの例示的な実施形態では、「無線デバイス」という用語は、任意で無線サービスを含むことができる。
【００１６】
本明細書で使用する場合、通信信号に関して、「通信する」という用語は、通信信号を送信すること及び／又は通信信号を受信することを含む。例えば、通信信号を通信することが可能である通信ユニットは、通信信号を少なくとも１つの他の通信ユニットに送信する送信機及び／又は少なくとも１つの他の通信ユニットから通信信号を受信する通信受信機を含むことができる。通信するという動詞は、送信のアクション又は受信のアクションを指すために使用され得る。一例では、「信号を通信する」という語句は、第１の装置によって信号を送信するアクションを指すことができるが、必ずしも第２の装置によって信号を受信するアクションを含まなくてもよい。別の例では、「信号を通信する」という語句は、第１の装置によって信号を受信するアクションを指すことができるが、必ずしも第２の装置によって信号を送信するアクションを含まなくてもよい。
【００１７】
本明細書で使用する場合、「回路」という用語は、１つ以上のソフトウェア又はファームウェアを実行する特定用途向け集積回路（ＡＳＩＣ）、集積回路、電子回路、プロセッサ（共有、グループ専用、又はグループ）及び／又はメモリ（共有、専用、ord）、組み合わせ論理回路及び／又は説明する機能を提供する他の適切なハードウェアコンポーネントの一部であるあるいはそれらを含むことを指すことができる。いくつかの実施形態では、回路は、１つ以上のソフトウェア又はファームウェアモジュールで実装されてもよく、あるいは回路に関連付けられた機能が１つ以上のソフトウェア又はファームウェアモジュールによって実装され得る。いくつかの実施形態では、回路は、少なくとも部分的にハードウェアで動作可能なロジックを含むことができる。
【００１８】
いくつかの例示的な実施形態は、ＷＬＡＮ、例えばワイヤレスフィディリティー（ＷｉＦｉ）ネットワークと共に使用され得る。他の実施形態は、任意の他の適切な無線通信ネットワーク、例えば無線エリアネットワーク、「ピコネット」、ＷＰＡＮ、ＷＶＡＮ等と共に使用され得る。
【００１９】
いくつかの例示的な実施形態は、６０ＧＨｚの周波数帯域を介して通信する無線通信ネットワークと共に使用され得る。しかし、他の実施形態は、他の適切な無線通信周波数帯域、例えば超高周波（ＥＨＦ）帯域（ミリ波（ｍｍＷａｖｅ）周波数帯域）、例えば２０ＧＨｚと３００ＧＨｚとの間の周波数帯域内の周波数帯域、ＷＬＡＮ周波数帯域、ＷＰＡＮ周波数帯域、ＷＧＡ仕様に従った周波数帯域等を利用して実装されてよい。
【００２０】
本明細書で使用する場合、「アンテナ」という用語は、１つ以上のアンテナ素子、コンポーネント、ユニット、アセンブリ及び／又はアレイの任意の適切な構成、構造及び／又は配置を含むことができる。いくつかの実施形態では、アンテナは、別々の送信及び受信アンテナ素子を使用して、送信機能及び受信機能を実装することができる。いくつかの実施形態では、アンテナは、共通及び／又は統合された送信／受信素子を使用して、送信機能及び受信機能を実装することができる。アンテナは、例えば、フェーズドアレイアンテナ、単一素子アンテナ、スイッチドビームアンテナのセット等を含むことができる。
【００２１】
本明細書で使用する場合、「指向性マルチギガビット（ＤＭＧ：directional  multi-gigabit）」及び「指向性バンド（directional  band）」（ＤＢａｎｄ）という語句は、チャネル開始周波数が４５ＧＨｚを超える周波数帯域に関連し得る。一例では、ＤＭＧ通信は、複数ギガビット毎秒の速度、例えば少なくとも１ギガビット毎秒、例えば７ギガビット毎秒又は任意の他の速度で通信するための１つ以上の指向性リンクを伴うことができる。
【００２２】
いくつかの例示的な実施形態は、ＤＭＧ  ＳＴＡ（「ｍｍＷａｖｅ  ＳＴＡ（ｍＳＴＡ：mmWave  STA）」とも称される）によって実装されてよく、それは、例えば、ＤＭＧ帯域内にあるチャネル上で動作することが可能な無線送信機を有するＳＴＡを含むことができる。ＤＭＧ  ＳＴＡは、他の追加機能又は代替機能を実行することができる。他の実施形態は、任意の他の装置、デバイス及び／又はステーションによって実施されてよい。
【００２３】
いくつかの例示的な実施形態に従う、システム１００を概略的に示す図１を参照する。
【００２４】
図１に示すように、いくつかの例示的な実施形態では、システム１００は、１つ以上の無線通信デバイスを含むことができる。例えば、システム１００は、第１の無線通信デバイス１０２及び／又は第２の無線通信デバイス１４０を含むことができる。
【００２５】
いくつかの例示的な実施形態では、デバイス１０２及び／又はデバイス１４０は、モバイルデバイス又は非モバイル、例えば静的なデバイスを含むことができる。例えば、デバイス１０２及び／又はデバイス１４０は、例えば、ＵＥ、ＭＤ、ＳＴＡ、ＡＰ、ＰＣ、デスクトップコンピュータ、モバイルコンピュータ、ラップトップコンピュータ、Ｕｌｔｒａｂｏｏｋ（登録商標）コンピュータ、ノートブックコンピュータ、タブレットコンピュータ、サーバコンピュータ、ハンドヘルドコンピュータ、ハンドヘルドデバイス、モノのインターネット（ＩｏＴ）デバイス、センサデバイス、ウェアラブルデバイス、ＰＤＡデバイス、ハンドヘルドＰＤＡデバイス、オンボードデバイス、オフボードデバイス、ハイブリッドデバイス（例えば、携帯電話機能をＰＤＡデバイス機能と組み合わせたもの）、消費者デバイス、車両デバイス、非車両デバイス、モバイル又はポータブルデバイス、非モバイル又は非ポータブルデバイス、携帯電話（a  mobile  phone,  a  cellular  telephone）、ＰＣＳデバイス、無線通信デバイスを組み込んだＰＤＡデバイス、モバイル又はポータブルＧＰＳデバイス、ＤＶＢデバイス、比較的小さなコンピューティングデバイス、非デスクトップコンピュータ、「キャリースモールライブラージ（Carry  Small  Live  Large）」（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「オリガミ（Origami）」デバイス又はコンピューティングデバイス、動的に構成可能なコンピューティング（ＤＣＣ：Dynamically  Composable  Computing）をサポートするデバイス、コンテキスト認識デバイス、ビデオデバイス、オーディオデバイス、Ａ／Ｖデバイス、セットトップボックス（ＳＴＢ）、Ｂｌｕ−ｒａｙ（登録商標）ディスク（ＢＤ）プレーヤ、ＢＤレコーダ、デジタルビデオディスク（ＤＶＤ）プレーヤ、高解像度（ＨＤ）ＤＶＤプレーヤ、ＤＶＤレコーダ、ＨＤ  ＤＶＤレコーダ、パーソナルビデオレコーダ（ＰＶＲ）、ブロードキャストＨＤ受信機、ビデオソース、オーディオソース、ビデオシンク、オーディオシンク、ステレオチューナ、ブロードキャストラジオ受信機、フラットパネルディスプレイ、パーソナルメディアプレーヤ（ＰＭＰ）、デジタルビデオカメラ、ＤＶＣ、デジタルオーディオプレーヤ、スピーカ、オーディオ受信機、オーディオアンプ、ゲームデバイス、データソース、データシンク、デジタルスチルカメラ（ＤＳＣ）、メディアプレーヤ、スマートフォン、テレビ、音楽プレーヤ等を含むことができる。
【００２６】
いくつかの例示的な実施形態では、デバイス１０２は、例えば、プロセッサ１９１、入力ユニット１９２、出力ユニット１９３、メモリユニット１９４及び／又はストレージユニット１９５のうちの１つ以上を含むことができる。デバイス１４０は、例えば、プロセッサ１８１、入力ユニット１８２、出力ユニット１８３、メモリユニット１８４及び／又はストレージユニット１８５のうちの１つ以上を含むことができる。デバイス１０２及び／又はデバイス１４０は、他の適切なハードウェアコンポーネント及び／又はソフトウェアコンポーネントを任意で含むことができる。いくつかの例示的な実施形態では、デバイス１０２及び／又はデバイス１４０の１つ以上のうちのコンポーネントの一部又は全部は共通のハウジング又はパッケージに封入されることができ、１つ以上の有線又は無線リンクを使用して相互接続又は動作可能に関連付けられ得る。他の実施形態では、デバイス１０２及び／又はデバイス１４０の１つ以上のうちのコンポーネントは複数のデバイス又は別々のデバイスに分散され得る。
【００２７】
いくつかの例示的な実施形態では、プロセッサ１９１及び／又はプロセッサ１８１は、例えば、中央処理装置（ＣＰＵ）、デジタル信号プロセッサ（ＤＳＰ）、１つ以上のプロセッサコア、単一コアプロセッサ、デュアルコアプロセッサ、マルチコアプロセッサ、マイクロプロセッサ、ホストプロセッサ、コントローラ、複数のプロセッサ若しくはコントローラ、チップ、マイクロチップ、１つ以上の回路（one  or  more  circuits,  circuitry）、論理ユニット、集積回路（ＩＣ）、特定用途向けＩＣ（ＡＳＩＣ）又は任意の他の適切な多目的又は特定のプロセッサ又はコントローラを含むことができる。プロセッサ１９１は、例えば、デバイス１０２のオペレーティングシステム（ＯＳ）及び／又は１つ以上の適切なアプリケーションの命令を実行する。プロセッサ１８１は、例えば、デバイス１４０のオペレーティングシステム（ＯＳ）及び／又は１つ以上の適切なアプリケーションの命令を実行する。
【００２８】
いくつかの例示的な実施形態では、入力ユニット１９２及び／又は入力ユニット１８２は、例えば、キーボード、キーパッド、マウス、タッチスクリーン、タッチパッド、トラックボール、スタイラス、マイクロフォン又は他の適切なポインティングデバイス若しくは入力デバイスを含むことができる。出力ユニット１９３及び／又は出力ユニット１８３は、例えば、モニタ、スクリーン、タッチスクリーン、フラットパネルディスプレイ、発光ダイオード（ＬＥＤ）表示ユニット、液晶ディスプレイ（ＬＣＤ）表示ユニット、プラズマディスプレイユニット、１つ以上のオーディオスピーカ若しくはイヤホン、又は他の適切な出力デバイスを含むことができる。
【００２９】
いくつかの例示的な実施形態では、メモリユニット１９４及び／又はメモリユニット１８４は、例えばランダムアクセスメモリ（ＲＡＭ）、読み出し専用メモリ（ＲＯＭ）、ダイナミックＲＡＭ（ＤＲＡＭ）、同期ＤＲＡＭ（ＳＤ−ＲＡＭ）、フラッシュメモリ、揮発性メモリ、不揮発性メモリ、キャッシュメモリ、バッファ、短期メモリユニット、長期メモリユニット又は他の適切なメモリユニットを含むことができる。ストレージユニット１９５及び／又はストレージユニット１８５は、例えば、ハードディスクドライブ、フロッピー（登録商標）ディスクドライブ、コンパクトディスク（ＣＤ）ドライブ、ＣＤ−ＲＯＭドライブ、ＤＶＤドライブ又は他の適切なリムーバブル若しくは非リムーバブルストレージユニットを含むことができる。メモリユニット１９４及び／又はストレージユニット１９５は、例えば、デバイス１０２によって処理されたデータを記憶することができる。メモリユニット１８４及び／又はストレージユニット１８５は、例えば、デバイス１４０によって処理されたデータを記憶することができる。
【００３０】
無線媒体１０３は、無線通信デバイス１０２及び／又はデバイス１４０は、無線媒体（ＷＭ）１０３を介してコンテンツ、データ、情報及び／又は信号を通信することが可能であり得る。いくつかの例示的な実施形態では、無線媒体１０３は、例えば無線チャネル、セルラーチャネル、ＲＦチャネル、ワイヤレスフィディリティー（ＷｉＦｉ）チャネル、ＩＲチャネル、Ｂｌｕｅｔｏｏｔｈ（登録商標）（ＢＴ）チャネル、全地球測位衛星システム（ＧＮＳＳ）チャネル等を含むことができる。
【００３１】
いくつかの例示的な実施形態では、ＷＭ１０３は、１つ以上の指向性帯域及び／又はチャネルを含むことができる。例えば、ＷＭ１０３は、１つ以上のミリ波（ｍｍＷａｖｅ）無線通信帯域及び／又はチャネルを含むことができる。
【００３２】
いくつかの例示的な実施形態では、ＷＭ１０３は、１つ以上のＤＭＧチャネルを含むことができる。他の実施形態では、ＷＭ１０３は任意の他の指向性チャネルを含むことができる。
【００３３】
他の実施形態では、ＷＭ１０３は、任意の他の周波数帯域を介した任意の他のタイプのチャネルを含むことができる。
【００３４】
いくつかの例示的な実施形態では、デバイス１０２及び／又はデバイス１４０は、例えば以下に説明する１つ以上の無線ステーションを含む、そのように動作する、及び／又はそれらの機能を実行することができる。
【００３５】
いくつかの例示的な実施形態では、デバイス１０２及び／又はデバイス１４０は、１つ以上のＤＭＧステーションを含む、そのように動作する、及び／又はそれらの機能を実行することができる。
【００３６】
他の実施形態では、デバイス１０２及び／又はデバイス１４０は、任意の他の無線デバイス及び／又はステーション、例えばＷＬＡＮ  ＳＴＡ、ＷｉＦｉ  ＳＴＡ等を含み、そのように動作する、及び／又はそれらの機能を実行することができる。
【００３７】
いくつかの例示的な実施形態では、デバイス１０２及び／又はデバイス１４０は、デバイス１０２，デバイス１４０及び／又は１つ以上の他の無線通信デバイス間で無線通信を実行するように構成された回路及び／又はロジックを含む１つ以上の無線機を含むことができる。例えば、デバイス１０２は無線機１１４を含むことができ、及び／又はデバイス１４０は無線機１４４を含むことができる。
【００３８】
いくつかの例示的な実施形態では、無線機１１４及び／又は無線機１４４は、無線通信信号、ＲＦ信号、フレーム、ブロック、送信ストリーム、パケット、メッセージ、データアイテム及び／又はデータを受信するように構成された回路及び／又はロジックを含む１つ以上の無線受信機（Ｒｘ）を含むことができる。例えば、無線機１１４は受信機１１６を含むことができ、及び／又は無線機１４４は受信機１４６を含むことができる。
【００３９】
いくつかの例示的な実施形態では、無線機１１４及び／又は無線機１４４は、無線通信信号、ＲＦ信号、フレーム、ブロック、送信ストリーム、パケット、メッセージ、データアイテム及び／又はデータを送信するように構成された回路及び／又はロジックを含む１つ以上の無線送信機（Ｔｘ）を含むことができる。例えば、無線機１１４は送信機１１８を含むことができ、及び／又は無線機１４４は送信機１４８を含むことができる。
【００４０】
いくつかの例示的な実施形態では、無線機１１４及び／又は無線機１４４は回路；ロジック；無線周波数（ＲＦ）素子、回路及び／又はロジック；ベースバンド素子、回路及び／又はロジック；変調素子、回路及び／又はロジック；復調素子、回路及び／又はロジック；増幅器；アナログ−デジタル変換器及び／又はデジタル−アナログ変換器；フィルタ；等を含むことができる。例えば、無線機１１４及び／又は無線機１４４は、無線ネットワークインターフェースカード（ＮＩＣ）等を含む、あるいはその一部として実装され得る。
【００４１】
いくつかの例示的な実施形態では、無線機１１４及び／又は無線機１４４は、それぞれ、１つ以上のアンテナ１０７及び／又はアンテナ１４７を含むことができ、あるいはそれらに関連付けられ得る。
【００４２】
一例では、デバイス１０２はアンテナ１０７を含むことができる。別の例では、デバイス１０２は２つ以上のアンテナ１０７を含むことができる。
【００４３】
一例では、デバイス１４０はアンテナ１４７を含むことができる。別の例では、デバイス１４０は２つ以上のアンテナ１４７を含むことができる。
【００４４】
アンテナ１０７及び／又はアンテナ１４７は、無線通信信号、ブロック、フレーム、送信ストリーム、パケット、メッセージ及び／又はデータを送信及び／又は受信するのに適した任意のタイプのアンテナを含むことができる。例えば、アンテナ１０７及び／又はアンテナ１４７は、１つ以上のアンテナ素子、コンポーネント、ユニット、アセンブリ及び／又はアレイの任意の適切な構成、構造及び／又は配置を含むことができる。アンテナ１０７及び／又はアンテナ１４７は、例えば、指向性通信、例えば、ビームフォーミング技術に適したアンテナを含むことができる。例えば、アンテナ１０７及び／又はアンテナ１４７は、フェーズドアレイアンテナ、複数素子アンテナ、スイッチドビームアンテナのセット等を含むことができる。いくつかの実施形態では、アンテナ１０７及び／又はアンテナ１４７は、別々の送信及び受信アンテナ素子を使用して、送信及び受信機能を実装することができる。いくつかの実施形態では、アンテナ１０７及び／又はアンテナ１４７は、共通及び／又は統合された送信／受信要素を使用して送信及び受信機能を実装することができる。
【００４５】
いくつかの例示的な実施形態では、アンテナ１０７及び／又はアンテナ１４７は、複数のビーム方向に方向付けされ得る指向性アンテナを含むことができる。例えば、アンテナ１０７は複数のビーム方向１３５に方向付けされる、及び／又はアンテナ１４７は複数のビーム方向１４５に方向付けされ得る。例えば、デバイス１０２は、デバイス１４０に指向性送信１３９を送信することができる、及び／又はデバイス１４０は、デバイス１０２に指向性送信１４９を送信することができる。
【００４６】
いくつかの例示的な実施形態では、デバイス１０２はコントローラ１２４を含むことができ、及び／又はデバイス１４０はコントローラ１５４を含むことができる。例えば以下に説明するように、コントローラ１２４及び／又はコントローラ１５４は、１つ以上の通信を実行するように構成されることができ、及び／又は、例えば、デバイス１０２、１４０及び／又は１６０及び／又は１つ以上の他のデバイスの間で１つ以上の機能、動作及び／又は手順を実行し得る。
【００４７】
いくつかの例示的な実施形態では、コントローラ１２４及び／又はコントローラ１５４は、回路及び／又はロジック、例えば、回路及び／又はロジックを含む１つ以上のプロセッサ、メモリ回路及び／又はロジック、媒体アクセス制御（ＭＡＣ）回路及び／又はロジック、物理層（ＰＨＹ）回路及び／又はロジック、及び／又は任意の他の回路及び／又はロジックであって、コントローラ１２４及び／又はコントローラ１５４の機能をそれぞれ実行するように構成されたものを含む。追加的又は代替的に、例えば以下に説明するように、コントローラ１２４及び／又はコントローラ１５４の１つ以上の機能は、機械及び／又は１つ以上のプロセッサによって実行されることができるロジックによって実装され得る。
【００４８】
一例では、例えば本明細書で説明するように、コントローラ１２４は、回路及び／又はロジック、例えば、回路／又はロジックを含むプロセッサであって、無線デバイス、例えばデバイス１０２、及び／又は無線ステーション、例えば、無線デバイス１０２によって実装された無線ＳＴＡに、例えば、１つ以上の動作、通信及び／又は機能を実行させるものを含むことができる。
【００４９】
一例では、例えば本明細書で説明するように、コントローラ１５４は、回路及び／又はロジック、例えば、回路／又はロジックを含むプロセッサであって、無線デバイス、例えばデバイス１４０、及び／又は無線ステーション、例えば、無線デバイス１４０によって実装された無線ＳＴＡに、１つ以上の動作、通信及び／又は機能を実行させるものを含むことができる。
【００５０】
いくつかの例示的な実施形態では、デバイス１０２は、デバイス１０２によって通信された１つ以上のメッセージを生成、処理及び／又はアクセスするように構成されたメッセージプロセッサ１２８を含むことができる。
【００５１】
一例では、例えば以下に説明するように、メッセージプロセッサ１２８は、デバイス１０２によって送信される１つ以上のメッセージを生成するように構成されることができ、及び／又はメッセージプロセッサ１２８は、デバイス１０２によって受信された１つ以上のメッセージにアクセス及び／又は処理するように構成され得る。
【００５２】
いくつかの例示的な実施形態では、デバイス１４０は、デバイス１４０によって通信された１つ以上のメッセージを生成、処理及び／又はアクセスするように構成されたメッセージプロセッサ１５８を含むことができる。
【００５３】
一例では、例えば以下に説明するように、メッセージプロセッサ１５８は、デバイス１４０によって送信される１つ以上のメッセージを生成するように構成されることができ、及び／又はメッセージプロセッサ１５８は、デバイス１４０によって受信された１つ以上のメッセージにアクセス及び／又は処理するように構成され得る。
【００５４】
いくつかの例示的な実施形態では、メッセージプロセッサ１２８及び／又はメッセージプロセッサ１５８は、回路、例えば、プロセッサ回路、メモリ回路、媒体アクセス制御（ＭＡＣ）回路、物理層（ＰＨＹ）回路、及び／又は任意の他の回路であって、メッセージプロセッサ１２８及び／又はメッセージプロセッサ１５８の機能を実行するように構成されたものを含む。追加的又は代替的に、例えば以下に説明するように、メッセージプロセッサ１２８及び／又はメッセージプロセッサ１５８の１つ以上の機能は、機械及び／又は１つ以上のプロセッサによって実行されることができるロジックによって実装され得る。
【００５５】
いくつかの例示的な実施形態では、メッセージプロセッサ１２８の機能の少なくとも一部は無線機１１４の一部として実装されることができ、及び／又はメッセージプロセッサ１５８の機能の少なくとも一部は無線機１４４の一部として実装され得る。
【００５６】
いくつかの例示的な実施形態では、メッセージプロセッサ１２８の機能の少なくとも一部はコントローラ１２４の一部として実装されることができ、及び／又はメッセージプロセッサ１５８の機能の少なくとも一部はコントローラ１５４の一部として実装され得る。
【００５７】
他の実施形態では、メッセージプロセッサ１２８の機能はデバイス１０２の任意の他の要素の一部として実装されることができ、及び／又はメッセージプロセッサ１５８の機能はデバイス１４０の任意の他の要素の一部として実装され得る。
【００５８】
いくつかの例示的な実施形態では、コントローラ１２４及び／又はメッセージプロセッサ１２８の機能の少なくとも一部は、集積回路、例えばチップ、例えばシステムオンチップ（ＳｏＣ）によって実装され得る。一例では、チップ又はＳｏＣは、無線機１１４の１つ以上の機能を実行するように構成され得る。例えば、チップ又はＳｏＣは、コントローラ１２４の１つ以上の要素、メッセージプロセッサ１２８の１つ以上の要素及び／又は無線機１１４の１つ以上の要素を含むことができる。一例では、コントローラ１２４、メッセージプロセッサ１２８及び無線機１１４は、チップ又はＳｏＣの一部として実装され得る。
【００５９】
他の実施形態では、コントローラ１２４、メッセージプロセッサ１２８及び／又は無線機１１４は、デバイス１０２の１つ以上の追加的な要素又は代替的な要素によって実装され得る。
【００６０】
いくつかの例示的な実施形態では、コントローラ１５４及び／又はメッセージプロセッサ１５８の機能の少なくとも一部は、集積回路、例えばチップ、例えばＳｏＣによって実装され得る。一例では、チップ又はＳｏＣは、無線機１４４の１つ以上の機能を実行するように構成され得る。例えば、チップ又はＳｏＣは、コントローラ１５４の１つ以上の要素、メッセージプロセッサ１５８の１つ以上の要素及び／又は無線機１４４の１つ以上の要素を含むことができる。一例では、コントローラ１５４、メッセージプロセッサ１５８及び無線機１４４は、チップ又はＳｏＣの一部として実装され得る。
【００６１】
他の実施形態では、コントローラ１５４、メッセージプロセッサ１５８及び／又は無線機１４４は、デバイス１４０の１つ以上の追加的な要素又は代替的な要素によって実装され得る。
【００６２】
いくつかの例示的な実施形態では、デバイス１０２及び／又はデバイス１４０は、アクセスポイント（ＡＰ）、例えばＤＭＧ  ＡＰ、及び／又はパーソナルベーシックサービスセット（ＰＢＳＳ）制御ポイント、例えばＤＭＧ  ＰＣＰとして動作するように、及び／又はそれらの機能を実行するように構成されることができ、例えばＡＰ／ＰＣＰ  ＳＴＡ、例えばＤＭＧ  ＡＰ／ＰＣＰ  ＳＴＡである。
【００６３】
いくつかの例示的な実施形態では、デバイス１０２及び／又はデバイス１４０は、非ＡＰ  ＳＴＡ、例えばＤＭＧ非ＡＰ  ＳＴＡ、及び／又は非ＰＣＰ  ＳＴＡ、例えばＤＭＧ非ＰＣＰ  ＳＴＡとして動作するように、及び／又はそれらの機能を実行するように構成されることができ、例えば非ＡＰ／ＰＣＰ  ＳＴＡ、例えばＤＭＧ非ＡＰ／ＰＣＰ  ＳＴＡである。
【００６４】
一例では、ステーション（ＳＴＡ）は、無線媒体（ＷＭ）への媒体アクセス制御（ＭＡＣ）及び物理層（ＰＨＹ）インタフェースの単独アドレス指定可能なインスタンスである論理エンティティを含むことができる。ＳＴＡは、任意の他の追加的な機能又は代替的な機能を実行することができる。
【００６５】
一例では、ＡＰは、ステーション（ＳＴＡ）、例えば１つのＳＴＡを含み、関連するＳＴＡのために無線媒体（ＷＭ）を介して配信サービスへのアクセスを提供するエンティティを含むことができる。ＡＰは、任意の他の追加的な機能又は代替的な機能を実行することができる。
【００６６】
一例では、パーソナルベーシックサービスセット（ＰＢＳＳ）制御ポイント（ＰＣＰ）は、ＳＴＡ、例えば１つのステーション（ＳＴＡ）を含み、ＰＢＳＳのメンバであるＳＴＡによる無線媒体（ＷＭ）へのアクセスを調整するエンティティを含むことができる。ＰＣＰは、任意の他の追加的な機能又は代替的な機能を実行することができる。
【００６７】
一例では、ＰＢＳＳは、例えば１つのＰＢＳＳ制御ポイント（ＰＣＰ）を含む指向性マルチギガビット（ＤＭＧ）ベーシックサービスセット（ＢＳＳ）を含むことができる。例えば、配信システム（ＤＳ）へのアクセスは存在しないことがあるが、例えばＰＢＳＳ内転送サービス（forwarding  service）は任意で存在し得る。
【００６８】
一例では、ＰＣＰ／ＡＰ  ＳＴＡは、ＰＣＰ又はＡＰの少なくとも１つであるステーション（ＳＴＡ）を含むことができる。ＰＣＰ／ＡＰ  ＳＴＡは、任意の他の追加的な機能又は代替的な機能を実行することができる。
【００６９】
一例では、非ＡＰ  ＳＴＡは、ＡＰ内に含まれないＳＴＡを含むことができる。非ＡＰ  ＳＴＡは、任意の他の追加的な機能又は代替的な機能を実行することができる。
【００７０】
一例では、非ＰＣＰ  ＳＴＡは、ＰＣＰではないＳＴＡを含むことができる。非ＰＣＰ  ＳＴＡは、任意の他の追加的な機能又は代替的な機能を実行することができる。
【００７１】
一例では、非ＰＣＰ／ＡＰ  ＳＴＡは、ＰＣＰではないかつＡＰではないＳＴＡを含むことができる。非ＰＣＰ／ＡＰ  ＳＴＡは、他の任意の追加的な機能又は代替的な機能を実行することができる。
【００７２】
無線通信帯域、例えばＤＭＧ帯域又は任意の他の帯域を介したいくつかの通信は、単一チャネル帯域幅（ＢＷ）で実行され得る。例えば、ＩＥＥＥ８０２．１１ａｄ仕様は、２．１６ＧＨｚの単一チャネル帯域幅（ＢＷ）を有する６０ＧＨｚシステムを定義しており、これは送信及び受信の両方に対してすべてのステーション（ＳＴＡ）によって使用されるものである。
【００７３】
いくつかの例示的な実施形態では、以下で説明するように、デバイス１０２及び／又はデバイス１４０は、より高いデータレート及び／又は向上した能力のために、例えば、単一チャネルＢＷスキーム、例えば、ＩＥＥＥ８０２．１１ａｙに従うスキーム又は任意の他のスキームを拡張することを可能にすることができる１つ以上のメカニズムを実装するように構成され得る。
【００７４】
いくつかの例示的な実施形態では、デバイス１０２及び／又はデバイス１４０は、例えば、隣接及び／又は非隣接の結合チャネルを介した通信をサポートすることができる１つ以上のチャネル結合メカニズムを実装するように構成され得る。
【００７５】
いくつかの例示的な実施形態では、チャネル結合は、例えば、より高い帯域幅のパケット送信のために、２つ以上のチャネルを組み合わされることができるメカニズム及び／又は動作を含むことができ、例えば、単一チャネルを介した送信と比較したときに、より高いデータレートを達成することを可能にする。
【００７６】
一例では、２つ以上の隣接チャネルは組み合わされて、フレームの送信及び／又は受信のための連続する結合通信チャネルを形成することができる。
【００７７】
他の例では、２つ以上の非隣接チャネルは組み合わされて、フレームの送信及び／又は受信のための非連続の結合通信チャネルを形成することができる。
【００７８】
いくつかの例示的な実施形態では、デバイス１０２及び／又はデバイス１４０は、例えば、増加したチャネル帯域幅、例えば、４．３２ＧＨｚのチャネルＢＷ、６．４８ＧＨｚのＢＷ、８．６４ＧＨｚのチャネルＢＷ及び／又は任意の他の追加的又は代替的なチャネルＢＷをサポートすることができる１つ以上のチャネル結合メカニズムを実装するように構成され得る。
【００７９】
いくつかの例示的な実施形態は、複数のチャネルを含む結合チャネルに関して本明細書で説明する。
【００８０】
他の実施形態では、本明細書で説明するいくつかのメカニズム及び／又はスキームは、複数のチャネルのアグリゲートによるアグリゲートチャネルを介して通信するために、追加的及び／又は代替的に実装され得る。
【００８１】
一例では、アグリゲートチャネルは、２つ以上の連続チャネルのアグリゲートを含むことができる。例えば、２つ以上の隣接チャネルが組み合わされて、フレームの送信及び／又は受信のための連続するアグリゲート通信チャネルを形成することができる。
【００８２】
他の例では、アグリゲートチャネルは、２つ以上の非連続チャネルのアグリゲートを含むことができる。例えば、２つ以上の非隣接チャネルが組み合わされて、フレームの送信及び／又は受信のための非連続な通信チャネルを形成することができる。
【００８３】
いくつかの仕様、例えばＩＥＥＥ８０２．１１ａｄ仕様は、単一ユーザ（ＳＵ）システムをサポートするように構成され得る。ここでは、ステーション（ＳＴＡ）は一度に複数のＳＴＡにフレームを送信することができない。そのような仕様は、例えば、マルチユーザＭＩＭＯ（ＭＵ−ＭＩＭＯ）スキーム、例えば、ダウンリンク（ＤＬ）ＭＵ−ＭＩＭＯ又は任意の他のＭＵスキームを使用して、ＳＴＡから複数のＳＴＡへの同時的な送信を同時にサポートすることができないことがある。
【００８４】
いくつかの例示的な実施形態では、デバイス１０２及び／又はデバイス１４０は、１つ以上のマルチユーザ（ＭＵ）メカニズムを実装するように構成され得る。例えば、デバイス１０２及び／又はデバイス１４０は、チャネル結合を伴うＭＵ通信を可能にするように構成され得る１つ以上のＭＵメカニズムを実装するように構成され得る。
【００８５】
一例では、デバイス１０２及び／又はデバイス１４０は、例えばデバイス、例えばデバイス１０２と、複数のデバイス、例えば、デバイス１４０及び／又は１つ以上の他のデバイスを含むものとの間で、例えば、他入力多出力（ＭＩＭＯ）スキームを使用するダウンリンク（ＤＬ）フレームのＭＵ通信を可能にするように構成されることができる１つ以上のＭＵメカニズムを実装するように構成され得る。
【００８６】
いくつかの例示的な実施形態では、デバイス１０２及び／又はデバイス１４０は、例えばＭＩＭＯ送信を通信するために、任意の他の追加的又は代替的なＭＵメカニズムを、及び／又は、例えばＭＩＭＯ送信を通信するために、任意の他のＭＩＭＯメカニズムを実装するように構成され得る。
【００８７】
いくつかの例示的な実施形態では、例えば以下で説明するように、通信スキームは、例えば、チャネル結合及び／又はＭＵ能力をサポートするために、既存の規格、例えばレガシー規格、例えばＩＥＥＥ８０２．１１ａｄに対する、例えば、物理層（ＰＨＹ）及び／又は媒体アクセス制御（ＭＡＣ）層内における変更を含むように構成され得る。
【００８８】
他の実施形態では、例えば以下に説明するように、新しい及び／又は独立した通信スキームは、ＰＨＹ層及び／又はＭＡＣ層及び／又は任意の他の層を含むことができ、これはチャネル結合及び／又はＭＵ能力をサポートするように構成され得る。
【００８９】
いくつかの例示的な実施形態は、例えば、ＩＥＥＥ８０２．１１仕様、例えば、ＩＥＥＥ８０２．１１ａｙ及び／又は任意の他の仕様若しくはプロトコルの一部として実装されることができる、新しい帯域プラン及びチャネル化を含むことができる。
【００９０】
いくつかの例示的な実施形態では、例えば以下に説明するように、帯域プラン及びチャネル化は、例えばチャネル結合をサポートするように構成され得る。
【００９１】
いくつかの例示的な実施形態では、デバイス１０２及び／又はデバイス１４０は、例えば予め定義されたチャネル幅に加えて、又はその代わりに、１つ以上のチャネル幅を有効にすることができる帯域プランに従って通信するように構成され得る。
【００９２】
いくつかの例示的な実施形態では、デバイス１０２及び／又はデバイス１４０は、例えば以下に説明するように、２．１６ギガヘルツ（ＧＨｚ）よりも広い１つ以上の追加チャネル幅を使用することができる帯域プランに従って通信するように構成され得る。
【００９３】
いくつかの例示的な実施形態では、デバイス１０２は、ミリ波（ｍｍＷａｖｅ）周波数帯域を介した送信のために構成されたフレームを生成するように構成され得る。
【００９４】
いくつかの例示的な実施形態では、例えば以下に説明するように、コントローラ１２４は、無線ステーション、例えば、デバイス１０２によって実装された無線ステーションがフレームを生成するように制御する、させる及び／又はトリガするように構成され得る。例えば、コントローラ１２４は、メッセージプロセッサ１２８及び／又は無線機１１４がフレームを生成及び／又は送信するように制御する、させる及び／又はトリガすることができる。
【００９５】
いくつかの例示的な実施形態では、デバイス１０２は、例えば以下に説明するように、帯域プランに従って、ｍｍＷａｖｅ周波数帯域内のワイドチャネルを介してフレームの指向性送信を処理することができる。
【００９６】
いくつかの例示的な実施形態では、例えば以下に説明するように、帯域プランは、予め定義されたチャネル幅を有する複数のチャネルと、複数のワイドチャネルとを含むことができる。
【００９７】
いくつかの例示的な実施形態では、例えば図２及び／又は図３を参照して以下に説明するように、予め定義されたチャネル幅を有する複数のチャネルは、２．１６ギガヘルツ（ＧＨｚ）のチャネル幅を有する４つのチャネルを含むことができる。
【００９８】
いくつかの例示的な実施形態では、例えば以下に説明するように、コントローラ１２４は、帯域プランの複数のワイドチャネルから無線送信のためのワイドチャネルを選択するように構成され得る。
【００９９】
いくつかの例示的な実施形態では、ワイドチャネルは、予め定義されたチャネル幅の整数倍である幅を有することができる。例えば、ワイドチャネルの幅は、例えば、予め定義されたチャネルの幅の少なくとも２、３又は４倍とすることができる。
【０１００】
いくつかの例示的な実施形態では、ワイドチャネルは、予め定義されたチャネル幅を有する複数のチャネルのうちの少なくとも２つのチャネルを含むことができる。
【０１０１】
いくつかの例示的な実施形態では、ワイドチャネルは、少なくとも２つの連続チャネルによって形成された結合チャネルを含むことができる。
【０１０２】
いくつかの例示的な実施形態では、ワイドチャネルは、少なくとも２つの非連続チャネルによって形成されたアグリゲートチャネルを含むことができる。
【０１０３】
いくつかの例示的な実施形態では、例えば以下に説明するように、複数のワイドチャネルのうちの各ワイドチャネルは、予め定義されたチャネル幅を有する複数のチャネルのうちの少なくとも２つの異なる組み合せを含むことができる。
【０１０４】
いくつかの例示的な実施形態では、複数のワイドチャネルは、４．３２ギガヘルツ（ＧＨｚ）のチャネル幅を有する少なくとも２つのワイドチャネルを含むことができる。
【０１０５】
いくつかの例示的な実施形態では、複数のワイドチャネルは、６．４８ギガヘルツ（ＧＨｚ）のチャネル幅を有する１つ以上のチャネルを含むことができる。
【０１０６】
いくつかの例示的な実施形態では、複数のワイドチャネルは、８．６４ギガヘルツ（ＧＨｚ）のチャネル幅を有するチャネルを含むことができる。
【０１０７】
一例では、デバイス１０２及び／又はデバイス１４０は、帯域プランに従って通信するように構成することができ、帯域プランは、４．３２ＧＨｚのチャネル幅、例えば２チャネル結合に適し得るもの、６．４８ＧＨｚのチャネル幅、例えば３チャネル結合に適し得るもの、８．６４ＧＨｚのチャネル幅、例えば４チャネル結合に適し得るもの、及び／又は他の任意の数のチャネルの任意の他のチャネル結合に適し得る任意の他の追加的又は代替的なチャネル幅を有効にし得る。
【０１０８】
いくつかの例示的な実施形態では、例えば以下に説明するように、デバイス１０２及び／又はデバイス１４０は、非重複帯域プランに従って通信するように構成され得る。
【０１０９】
いくつかの例示的な実施形態では、非重複帯域プランは、１つ以上のＩＥＥＥ  ８０２．１１規格、例えば、ＩＥＥＥ  ８０２．１１ａｄ−２０１２及び／又はＩＥＥＥ  ８０２．１１ａｙ規格の１つ以上のアプローチを考慮して構成され得る。
【０１１０】
いくつかの例示的な実施形態では、複数のワイドチャネルは、４．３２ＧＨｚのチャネル幅を有する第１及び第２の非重複ワイドチャネルを含むことができる。
【０１１１】
いくつかの例示的な実施形態では、複数のワイドチャネルは、６．４８ＧＨｚのチャネル幅を有する単一の非重複チャネルを含むことができる。
【０１１２】
いくつかの例示的な実施形態では、複数のワイドチャネルは、８．６４ＧＨｚのチャネル幅を有する単一の非重複チャネルを含むことができる。
【０１１３】
いくつかの例示的な実施形態では、例えば以下に説明するように、デバイス１０２及び／又はデバイス１４０は、重複帯域プランに従って通信するように構成され得る。
【０１１４】
いくつかの例示的な実施形態では、重複帯域プランは、１つ以上のＩＥＥＥ  ８０２．１１規格、例えばＩＥＥＥ  ８０２．１１ａｄ−２０１２及び／又はＩＥＥＥ  ８０２．１１ａｙ規格の１つ以上のアプローチを考慮して構成され得る。
【０１１５】
いくつかの例示的な実施形態では、重複帯域プランは、指向性送信、例えば、６０ＧＨｚ帯域を介したあるいは任意の他の指向性通信帯域を介した送信を通信するのに適し得る。
【０１１６】
いくつかの例示的な実施形態では、例えば以下に説明するように、重複帯域プランは、例えば、サポートされるチャネルの数を増やすことを可能にすることができる、重複チャネル化（overlapping  channelization）を利用し得る。
【０１１７】
いくつかの例示的な実施形態では、重複帯域プランにおける複数のワイドチャネルは、それぞれが４．３２ＧＨｚのチャネル幅を有する３つの重複ワイドチャネルを含むことができる。
【０１１８】
いくつかの例示的な実施形態では、重複帯域プランにおける複数のワイドチャネルは、それぞれ６．４８ＧＨｚのチャネル幅を有する第１及び第２の重複チャネルを含むことができる。
【０１１９】
いくつかの例示的な実施形態では、重複帯域プランにおける複数のワイドチャネルは、例えば、重複帯域プランに従って、８．６４ＧＨｚのチャネル幅を有するチャネルを含むことができる。
【０１２０】
いくつかの例示的な実施形態では、デバイス１４０は、帯域プランに従ってｍｍＷａｖｅ周波数帯域内のワイドチャネルを介してフレームを受信するように構成され得る。
【０１２１】
いくつかの例示的な実施形態では、受信機１４６は、帯域プランに従ってｍｍＷａｖｅ周波数帯域内のワイドチャネルを介してデバイス１０２から送信されたフレームを受信するように構成され得る。
【０１２２】
いくつかの例示的な実施形態では、デバイス１４０は、帯域プランに従ってｍｍＷａｖｅ周波数帯域内のワイドチャネルを介してフレームの指向性受信を処理するように構成され得る。
【０１２３】
いくつかの例示的な実施形態では、例えば以下に説明するように、コントローラ１５４は、無線ステーション、例えば、デバイス１４０によって実装された無線ステーションが受信されたフレームを処理するように制御する、させる及び／又はトリガするように構成され得る。例えば、コントローラ１５４は、メッセージプロセッサ１５８及び／又は無線機１１４がフレームの受信を処理するように制御する、させる及び／又はトリガすることができる。
【０１２４】
いくつかの例示的な実施形態では、デバイス１４０は、帯域プランに従ってｍｍＷａｖｅ周波数帯域内のワイドチャネルを介してデバイス１０２から送信されたフレームの指向性受信を処理するように構成され得る。
【０１２５】
いくつかの例示的な実施形態では、デバイス１４０は、フレームの少なくとも一部を処理するように構成され得る。
【０１２６】
いくつかの例示的な実施形態では、コントローラ１５４は、無線ステーション、例えば、デバイス１４０によって実装された無線ステーションが、フレーム、例えば、帯域プランに従ってデバイス１０２から送信されたフレームの少なくとも一部を処理するように制御する、させる及び／又はトリガするように構成され得る。
【０１２７】
いくつかの例示的な実施形態では、デバイス１４０は、例えば、デバイス１０２が４．３２ＧＨｚのチャネル幅を有するワイドチャネルを介してフレームを送信する場合、４．３２ＧＨｚのチャネル幅を有するワイドチャネルを介してフレームの指向性受信を処理するように構成され得る。
【０１２８】
いくつかの例示的な実施形態では、デバイス１４０は、例えば、デバイス１０２が６．４８ＧＨｚのチャネル幅を有するワイドチャネルを介してフレームを送信する場合、６．４８ＧＨのチャネル幅を有するワイドチャネルを介したフレームの指向性受信を処理するように構成され得る。
【０１２９】
いくつかの例示的な実施形態では、デバイス１４０は、例えば、デバイス１０２が８．６４ＧＨｚのチャネル幅を有するワイドチャネルを介してフレームを送信する場合、８．６４ＧＨｚのチャネル幅を有するワイドチャネルを介したフレームの指向性受信を処理するように構成され得る。
【０１３０】
図２を参照する。図２は、いくつかの例示的な実施形態に従う、非重複帯域プラン及びチャネル化２００を概略的に示す。例えば、デバイス１０２及び／又はデバイス１４０（図１）は、帯域プラン及びチャネル化２００に従って通信するように構成され得る。
【０１３１】
いくつかの例示的な実施形態では、図２に示すように、非重複帯域プラン及びチャネル化２００は、チャネル＃１、チャネル＃２、チャネル＃４と示される４つのチャネルを含む、予め定義されたチャネル幅を有する複数のチャネル２０２を含むことができる。
【０１３２】
図２に示すように、複数のチャネル２０２は、例えば、ＩＥＥＥ８０２．１１ａｄ−２０１２仕様によって定義されたチャネルに従って、２．１６ＧＨｚの帯域幅で定義され得る。
【０１３３】
図２に示すように、帯域プラン及びチャネル化２００は、例えば２．１６ＧＨｚチャネルに加えて、それぞれが４．３２ＧＨｚチャネルの幅を有する、チャネル＃９及びチャネル＃１１と示される第１及び第２の非重複ワイドチャネル２０４を含むことができる。
【０１３４】
図２に示すように、第１及び第２の非重複ワイドチャネル２０４のチャネルは、複数のチャネル２０２のうちの２つのチャネルを含むことができる。例えば、チャネル＃９はチャネル＃１とチャネル＃２とを含み、及び／又はチャネル＃１１は、チャネル＃３とチャネル＃４とを含むことができる。
【０１３５】
図２に示すように、第１及び第２の非重複ワイドチャネル２０４のチャネルは、２つのチャネルによって形成された結合チャネルを含むことができる。例えば、チャネル＃９は、チャネル＃１とチャネル＃２とによって形成された結合チャネルを含むことができ、及び／又はチャネル＃１１は、チャネル＃３とチャネル＃４とによって形成された結合チャネルを含むことができる。
【０１３６】
他の実施形態では、帯域プラン及びチャネル化２００は、複数のチャネル２０２のうちの２つのチャネルによって形成されたアグリゲートチャネルを含むことができる。
【０１３７】
一例では、アグリゲートチャネルは、２つの連続チャネル、例えば、チャネル＃３とチャネル＃４とによって形成されたアグリゲートチャネル、及び／又はチャネル＃１とチャネル＃２とによって形成されたアグリゲートチャネルによって形成され得る。
【０１３８】
他の例では、アグリゲートチャネルは、２つの非連続チャネル、例えばチャネル＃１とチャネル＃３とによって形成されたアグリゲートチャネル、及び／又はチャネル＃２とチャネル＃４とによって形成されたアグリゲートチャネルによって形成され得る。
【０１３９】
図２に示すように、非重複帯域プラン２００は、例えば、４．３２ＧＨｚ及び／又は２．１６ＧＨｚチャネルに加えて、チャネル＃１２と示される６．４８ＧＨｚチャネル２０６を含むことができる。
【０１４０】
図２に示すように、非重複帯域プラン２００は、例えば、６．４８ＧＨｚ、４．３２ＧＨｚ及び／又は２．１６ＧＨｚチャネルに加えて、チャネル＃１４と示される８．６４ＧＨｚチャネル２０８を含むことができる。
【０１４１】
いくつかの例示的な実施形態では、図２に示すように、所与のチャネルＢＷに対して、ワイドチャネル、例えば、４．３２ＧＨｚ、８．６４ＧＨｚ及び／又は６．４８ＧＨｚチャネルは互いに重複しない。
【０１４２】
いくつかの例示的な実施形態では、帯域プラン２００のチャネルは、例えば、チャネルの中心周波数に基づいて定義され得る。
【０１４３】
いくつかの例示的な実施形態では、以下に説明するように、帯域プラン２００のチャネルの中心周波数は、例えば、チャネルの開始周波数、チャネルのチャネル番号及びチャネルのチャネル間隔に基づいて決定され得る。
【０１４４】
いくつかの例示的な実施形態では、例えば次のように、チャネル中心周波数は、例えば帯域プラン２００に従って、例えば図２の４．３２ＧＨｚチャネルについて決定され得る。
チャネル中心周波数＝チャネル開始周波数＋（チャネル間隔／２）×（チャネル番号ｍｏｄ８）＋１．０８（ＧＨｚ）  …  （１）
ここで、チャネル開始周波数は例えば５６．１６ＧＨｚであり、チャネル間隔は例えば４．３２ＧＨｚであり、及び／又はチャネル番号は図２に示すチャネル番号、例えば４．３２ＧＨｚについてのチャネル＃９及びチャネル＃１１を含むことができる。
【０１４５】
いくつかの例示的な実施形態では、例えば次のように、チャネル中心周波数は、例えば帯域プラン２００に従って、例えば図２の６．４８ＧＨｚチャネルについて決定され得る。
【０１４６】
チャネル中心周波数＝チャネル開始周波数＋（チャネル間隔／３）×（チャネル番号ｍｏｄ１０）  …  （２）
ここで、チャネル開始周波数は例えば５６．１６ＧＨｚであり、チャネル間隔は例えば６．４８ＧＨｚであり、及び／又はチャネル番号は図２に示すチャネル番号、例えばチャネル＃１２を含むことができる。
【０１４７】
いくつかの例示的な実施形態では、例えば次のように、チャネル中心周波数は、例えば帯域プラン２００に従って、例えば図２の８．６４ＧＨｚチャネルについて決定され得る。
【０１４８】
チャネル中心周波数＝チャネル開始周波数＋（チャネル間隔／  ４）×（チャネル番号ｍｏｄ１２）＋１．０８（ＧＨｚ）  …  （３）
ここで、チャネル開始周波数は例えば５６．１６ＧＨｚであり、チャネル間隔は例えば８．６４ＧＨｚであり、及び／又はチャネル番号は図２に示すチャネル番号、例えばチャネル＃１４を含むことができる。
【０１４９】
図３を参照する。図３は、いくつかの例示的な実施形態に従う、重複帯域プラン及びチャネル化３００を概略的に示す。例えば、デバイス１０２及び／又はデバイス１４０（図１）は、帯域プラン３００に従って通信するように構成され得る。
【０１５０】
いくつかの例示的な実施形態では、図３に示すように、重複帯域プラン及びチャネル化３００は、予め定義されたチャネル幅を有する複数のチャネル３０２を含むことができる。例えば、チャネル＃１、チャネル＃２、チャネル＃３及びチャネル＃４と示される４つのチャネルを含む。
【０１５１】
図３に示すように、複数のチャネル３０２は、例えば、ＩＥＥＥ８０２．１１ａｄ−２０１２仕様によって定義されたチャネルに従って、２．１６ＧＨｚの帯域幅で定義され得る。
【０１５２】
いくつかの例示的な実施形態では、図３に示すように、帯域プラン及びチャネル化３００は、例えば２．１６ＧＨｚチャネルに加えて、それぞれが４．３２ＧＨｚの幅を有するチャネル＃９、チャネル＃１０及びチャネル＃１１と示される複数の重複ワイドチャネル３０４を含むことができる。
【０１５３】
図３に示すように、チャネル＃１０及びチャネル＃９は第１の重複部分３０５を有し、及び／又はチャネル＃１０及びチャネル＃１１は第２の重複部分３０７を有することができる。
【０１５４】
図３に示すように、複数の重複ワイドチャネル３０４のチャネルは、複数のチャネル３０２のうちの２つのチャネルを含むことができる。例えば、チャネル＃９はチャネル＃１とチャネル＃２とを含むことができ、チャネル＃１０はチャネル＃２とチャネル＃３とを含むことができ、及び／又はチャネル＃１１はチャネル＃３とチャネル＃４とを含むことができる。
【０１５５】
図３に示すように、複数の重複ワイドチャネル３０４のチャネルは、複数のチャネル３０２のうちの２つのチャネルによって形成された結合チャネルを含むことができる。例えば、チャネル＃９はチャネル＃１とチャネル＃２とによって形成された結合チャネルを含むことができ、チャネル＃１０はチャネル＃２とチャネル＃３とによって形成された結合チャネルを含むことができ、及び／又はチャネル＃１１はチャネル＃３とチャネル＃４とによって形成された結合チャネルを含むことができる。
【０１５６】
他の実施形態では、帯域プラン及びチャネル化３００は、複数のチャネル３０２のうちの２つのチャネルによって形成されたアグリゲートチャネルを含むことができる。
【０１５７】
一例では、アグリゲートチャネルは、２つの連続チャネルによって形成され得る。例えば、チャネル＃３とチャネル＃４とによって形成されたアグリゲートチャネル、及び／又はチャネル＃２とチャネル＃３とによって形成されたアグリゲートチャネルがある。
【０１５８】
一例では、アグリゲートチャネルは、２つの非連続チャネルによって形成され得る。例えば、チャネル＃１とチャネル＃３とによって形成されたアグリゲートチャネル、及び／又はチャネル＃１とチャネル＃４とによって形成されたアグリゲートチャネルがある。
【０１５９】
いくつかの例示的な実施形態では、図３に示すように、帯域プラン及びチャネル化３００は、例えば４．３２ＧＨｚチャネル及び／又は２．１６ＧＨｚチャネルに加えて、それぞれが６．４８ＧＨｚの幅を有するチャネル＃１２及びチャネル＃１３と示される第１及び第２の重複ワイドチャネル３０６を含むことができる。
【０１６０】
図３に示すように、チャネル＃１２及びチャネル＃１３は、重複部分３０９を有することができる。
【０１６１】
いくつかの例示的な実施形態では、図３に示すように、重複帯域プラン３００は、例えば６．４８ＧＨｚチャネル、４．３２ＧＨｚチャネル及び／又は２．１６ＧＨｚチャネルに加えて、チャネル＃１４と示される８．６４ＧＨｚチャネル３０６を含むことができる。
【０１６２】
いくつかの例示的な実施形態では、例えば非重複チャネル化２００（図２）とは反対に、重複チャネル化プラン３００に従って、所与のチャネルＢＷに対して、１つ以上の重複チャネルが存在し得る。
【０１６３】
例えば、６．４８ＧＨｚチャネルの場合、１つのチャネル、例えばチャネル＃１２のみを含むことができる非重複チャネル化プラン２００（図２）と比べ、重複チャネル化プラン３００は、２つのチャネル、例えばチャネル＃１２とチャネル＃１３とを含むことができる。
【０１６４】
いくつかの例示的な実施形態では、上記に説明したように、重複帯域プラン及びチャネル化３００に従う通信は、動作チャネルの数を増加させることができる、チャネル間の重複を可能にすることができる。
【０１６５】
いくつかの例示的な実施形態では、重複帯域プラン及びチャネル化３００に従う通信は、例えば特に高密度の配置において、例えば干渉の可能性を増加させることがあるチャネル間の重複を可能にすることができる。しかし、指向性送信、例えば６０ＧＨｚ帯域における指向性送信に関して重複帯域プラン３００を実装すると、重複帯域プラン及びチャネル化３００のチャネル化を非重複チャネル化の実現可能な代替物と考えることができる。
【０１６６】
図４を参照する。図４は、いくつかの例示的な実施形態に従う、帯域プラン及びチャネル化による無線通信の方法を概略的に示す。例えば、図４の方法の動作の１つ以上は、システム、例えばシステム１００（図１）の１つ以上の要素、例えば１つ以上の無線デバイス、例えばデバイス１０２（図１）及び／又はデバイス１０４（図１）、コントローラ、例えばコントローラ１２４（図１）及び／又はコントローラ１５４（図１）、無線機、例えば無線機１１４（図１）及び／又は無線機１４４（図１）、及び／又はメッセージプロセッサ、例えばメッセージプロセッサ１２８（図１）及び／又はメッセージプロセッサ１５８（図１）によって実行され得る。
【０１６７】
ブロック４０２に示すように、この方法は、ｍｍＷａｖｅ周波数帯域を介した送信のために構成されたフレームを生成するステップを含むことができる。例えば、コントローラ１２４（図１）は、例えば上記に説明したように、メッセージプロセッサ１２８がｍｍＷａｖｅ周波数帯域を介した送信のためにフレームを生成するように制御し、させる及び／又はトリガすることができる。
【０１６８】
ブロック４０４に示すように、この方法は、予め定義されたチャネル幅を有する複数のチャネルとワイドチャネルを含む複数のワイドチャネルとを含む帯域プランに従って、ｍｍＷａｖｅ周波数帯域内のワイドチャネルを介したフレームの指向性送信を処理するステップを含むことができる。例えば上記に説明したように、例えば、コントローラ１２４（図１）は、メッセージプロセッサ１２８（図１）及び／又は無線機１１４（図１）が、帯域プラン２００に従ってｍｍＷａｖｅ周波数内のワイドチャネルを介してフレームの送信を処理するように、制御し、させる及び／又はトリガすることができ、及び／又はコントローラ１２４（図１）は、メッセージプロセッサ１２８（図１）及び／又は無線機１１４（図１）が、帯域プラン３００に従ってｍｍＷａｖｅ周波数内のワイドチャネルを介してフレームの送信を処理するように、制御し、させる及び／又はトリガすることができる。
【０１６９】
ブロック４０６に示すように、ワイドチャネルを介したフレームの指向性送信を処理するステップは、予め定義されたチャネル幅の整数倍である幅を有するワイドチャネルを介したフレームの指向性送信を処理するステップを含むことができる。例えば上記に説明したように、例えば、コントローラ１２４（図１）は、メッセージプロセッサ１２８（図１）及び／又は無線機１１４（図１）が、帯域プラン２００に従ってｍｍＷａｖｅ周波数内のワイドチャネルを介したフレームの送信を処理するように、制御し、させる及び／又はトリガすることができ、及び／又はコントローラ１２４（図１）は、メッセージプロセッサ１２８（図１）及び／又は無線機１１４（図１）が、帯域プラン２００又は帯域プラン３００のワイドチャネル＃９を介したフレームの送信を処理するように、制御し、させる及び／又はトリガすることができる。
【０１７０】
ブロック４０８に示すように、ワイドチャネルを介したフレームの指向性送信を処理するステップは、予め定義されたチャネル幅を有する複数のチャネルのうちの少なくとも２つのチャネルを含むワイドチャネルを介したフレームの指向性送信を処理するステップを含むことができる。例えば上記に説明したように、例えば、コントローラ１２４（図１）は、メッセージプロセッサ１２８（図１）及び／又は無線機１１４（図１）が、帯域プラン２００（図２）のチャネル＃１及び＃２を含む、帯域プラン２００（図２）のワイドチャネル＃９を介したフレームの送信を処理するように、制御し、させる及び／又はトリガすることができ、及び／又はコントローラ１２４（図１）は、メッセージプロセッサ１２８（図１）及び／又は無線機１１４（図１）が、帯域プラン３００（図３）のチャネル＃１とチャネル＃２とを含む、帯域プラン３００（図３）のワイドチャネル＃９を介したフレームの送信処理するように、制御する、させる及び／又はトリガすることができる。
【０１７１】
ブロック４１０に示すように、この方法は、帯域プランに従ってワイドチャネルを介したｍｍＷａｖｅ周波数帯域内のフレームの指向性受信を処理するステップを含むことができる。例えば上記に説明したように、例えば、コントローラ１５４（図１）は、メッセージプロセッサ１５８（図１）及び／又は無線機１４４（図１）が、帯域プラン２００（図２）に従って、あるいは帯域プラン３００（図３）に従ってワイドチャネルを介したｍｍＷａｖｅ周波数帯域内のフレームの受信を処理するように、制御する、させる及び／又はトリガすることができる。
【０１７２】
ブロック４１２に示すように、この方法は、フレームの少なくとも一部を処理するステップを含むことができる。例えば上記に説明したように、例えば、コントローラ１５４（図１）は、メッセージプロセッサ１５８（図１）及び／又は無線機１４４（図１）フレームの一部を処理するように、制御する、させる及び／又はトリガすることができる。
【０１７３】
図５を参照する。図５は、いくつかの例示的な実施形態に従う、製造物５００を概略的に示す。製品５００は、ロジック５０４を記憶するための非一時的な機械読み取り可能記憶媒体５０２を含むことができる。ロジック５０４は、例えば、デバイス１０２及び／又はデバイス１４０（図１）、送信機１１８及び／又は送信機１４８（図１）、受信機１１６及び／又は受信機１４６（図１）、コントローラ１２４及び／又はコントローラ１５４（図１）、メッセージプロセッサ１２８（図１）及び／又はメッセージプロセッサ１５８（図１）の機能の少なくとも一部を実行する、及び／又は、１つ以上の動作及び／又は機能、例えば、図４の方法の１つ以上の動作を実行するために使用され得る。「非一時的な機械読み取り可能媒体」という語句は、すべてのコンピュータ読み取り可能媒体を含むように指向され、唯一の例外は一時的な伝搬信号である。
【０１７４】
いくつかの例示的な実施形態では、製品５００及び／又は機械読み取り可能記憶媒体５０２は、揮発性メモリ、不揮発性メモリ、取り外し可能又は取り外し不能メモリ、消去可能又は消去不能メモリ、書き込み可能又は再書き込み可能メモリ等を含む、データを記憶することが可能な１つ以上のタイプのコンピュータ読み取り可能記憶媒体を含むことができる。例えば、機械読み取り可能記憶媒体５０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（例えばＮＯＲ又はＮＡＮＤフラッシュメモリ）、連想メモリ（ＣＡＭ）、ポリマーメモリ、相変化メモリ、強誘電体メモリ、シリコン‐酸化物‐窒化物‐酸化物‐シリコン（ＳＯＮＯＳ）メモリ、ディスク、フロッピーディスク、ハードドライブ、光ディスク、磁気ディスク、カード、磁気カード、光カード、テープ、カセット等を含むことができる。コンピュータ読み取り可能記憶媒体は、通信リンク、例えばモデム、無線機又はネットワーク接続を通じた搬送波又は他の伝搬媒体で具体化されたデータ信号によって運ばれるコンピュータプログラムを遠隔コンピュータから要求コンピュータにダウンロード又は転送することを伴った任意の適切な媒体を含むことができる。
【０１７５】
いくつかの例示的な実施形態では、ロジック５０４は、機械によって実行された場合、本明細書で説明した方法、プロセス及び／又は動作を機械に実行させることができる命令、データ、及び／又はコードを含むことができる。機械は、例えば、任意の適切な処理プラットフォーム、コンピューティングプラットフォーム、コンピューティングデバイス、処理デバイス、コンピューティングシステム、処理システム、コンピュータ、プロセッサ等を含むことができ、ハードウェア、ソフトウェア、ファームウェア等の任意の適切な組み合わせを使用して実装され得る。
【０１７６】
いくつかの例示的な実施形態では、ロジック５０４は、ソフトウェア、ソフトウェアモジュール、アプリケーション、プログラム、サブルーチン、命令、命令セット、コンピューティングコード、ワード、値、シンボル等を含むあるいはそれらとして実装され得る。命令は、任意の適切なタイプのコードを含むことができ、ソースコード、コンパイルされたコード、解釈されたコード、実行可能コード、静的コード、動的コード等がある。命令は、プロセッサに所定の機能を実行するように命令するために、予め定義されたコンピュータ言語、方法又は構文に従って実装され得る。命令は、任意の適切な高レベル、低レベル、オブジェクト指向、ビジュアル、コンパイル及び／又はインタープリタ型プログラミング言語を使用して実装されることができ、Ｃ、Ｃ  ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、機械コード等がある。
【０１７７】
以下の例は、さらなる実施形態に関する。
【０１７８】
例１は、無線ステーションに、ミリ波（ｍｍＷａｖｅ）周波数帯域を介した送信のために構成されたフレームを生成することと、予め定義されたチャネル幅を有する複数のチャネルとワイドチャネルを含む複数のワイドチャネルとを含む帯域プランに従って、ｍｍＷａｖｅ周波数帯域内のワイドチャネルを介してフレームの指向性送信を処理することと、をさせるように構成された回路を含む装置を含み、ワイドチャネルは予め定義されたチャネル幅の整数倍の幅を有する。
【０１７９】
例２は、例１の主題を含み、任意で、ワイドチャネルは、予め定義されたチャネル幅を有する複数のチャネルのうちの少なくとも２つのチャネルを含む。
【０１８０】
例３は、例２の主題を含み、任意で、ワイドチャネルは、少なくとも２つのチャネルによって形成された結合チャネルを含む。
【０１８１】
例４は、例１〜３のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０１８２】
例５は、例１〜４のいずれか１つの主題を含み、任意で、予め定義されたチャネル幅を有する複数のチャネルは４つのチャネルを含み、４つのチャネルのチャネルは２．１６ギガヘルツ（ＧＨｚ）のチャネル幅を有する。
【０１８３】
例６は、例１〜５のいずれか１つの主題を含み、任意で、複数のワイドチャネルは、４．３２ギガヘルツ（ＧＨｚ）のチャネル幅を有する少なくとも２つのワイドチャネルを含む。
【０１８４】
例７は、例６の主題を含み、任意で、複数のワイドチャネルは、４．３２ＧＨｚのチャネル幅を有する第１及び第２の非重複ワイドチャネルを含む。
【０１８５】
例８は、例６の主題を含み、任意で、複数のワイドチャネルは、４．３２ＧＨｚのチャネル幅を有する３つの重複ワイドチャネルを含む。
【０１８６】
例９は、例１〜８のいずれか１つの主題を含み、任意で、複数のワイドチャネルは、６．４８ギガヘルツ（ＧＨｚ）のチャネル幅を有する１つ以上のチャネルを含む。
【０１８７】
例１０は、例９の主題を含み、任意で、複数のワイドチャネルは、６．４８ＧＨｚのチャネル幅を有する単一チャネルを含む。
【０１８８】
例１１は、例９の主題を含み、任意で、複数のワイドチャネルは、６．４８ＧＨｚのチャネル幅を有する第１及び第２の重複チャネルを含む。
【０１８９】
例１２は、例１〜１１のいずれか１つの主題を含み、任意で、複数のワイドチャネルは、８．６４ギガヘルツ（ＧＨｚ）のチャネル幅を有するチャネルを含む。
例１３は、例１〜１２のいずれか１つの主題を含み、任意で、ｍｍＷａｖｅ周波数帯域は指向性マルチギガビット（ＤＭＧ）帯域である。
【０１９０】
例１４は、例１〜１３のいずれか１つの主題を含み、任意で、無線ステーションが指向性マルチギガビット（ＤＭＧ）ステーション（ＳＴＡ）である。
【０１９１】
例１５は、例１〜１４のいずれか１つの主題を含み、任意で、フレームを送信する送信機を含む。
例１６は、例１〜１５のいずれか１つの主題を含み、任意で、１つ以上の指向性アンテナ、メモリ、及びプロセッサを含む。
【０１９２】
例１７は、無線ステーションを含む無線通信のシステムを含む。無線ステーションは、１つ以上の指向性アンテナと、メモリと、プロセッサと、予め定義されたチャネル幅を有する複数のチャネルとワイドチャネル幅を含む複数のワイドチャネルとを含む帯域プランに従ってミリ波（ｍｍＷａｖｅ）周波数帯域内のワイドチャネルを介してフレームの指向性送信を処理する無線機とを含み、ワイドチャネルは予め定義されたチャネル幅の整数倍の幅を有する。
【０１９３】
例１８は、例１７の主題を含み、任意で、ワイドチャネルは、予め定義されたチャネル幅を有する複数のチャネルのうちの少なくとも２つのチャネルを含む。
【０１９４】
例１９は、例１８の主題を含み、任意で、ワイドチャネルは少なくとも２つのチャネルによって形成された結合チャネルを含む。
例２０は、例１７〜１９のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０１９５】
例２１は、例１７〜２０のいずれか１つの主題を含み、任意で、予め定義されたチャネル幅を有する複数のチャネルは４つのチャネルを含み、４つのチャネルのチャネルは２．１６ギガヘルツ（ＧＨｚ）のチャネル幅を有する。
【０１９６】
例２２は、例１７〜２１のいずれか１つの主題を含み、任意で、複数のワイドチャネルは、４．３２ギガヘルツ（ＧＨｚ）のチャネル幅を有する少なくとも２つのワイドチャネルを含む。
【０１９７】
例２３は、例２２の主題を含み、任意で、複数のワイドチャネルは、４．３２ＧＨｚのチャネル幅を有する第１及び第２の非重複ワイドチャネルを含む。
【０１９８】
例２４は、例２２の主題を含み、任意で、複数のワイドチャネルは、４．３２ＧＨｚのチャネル幅を有する３つの重複ワイドチャネルを含む。
【０１９９】
例２５は、例１７〜２４のいずれか１つの主題を含み、任意で、複数のワイドチャネルは、６．４８ギガヘルツ（ＧＨｚ）のチャネル幅を有する１つ以上のチャネルを含む。
【０２００】
例２６は、例２５の主題を含み、任意で、複数のワイドチャネルは、６．４８ＧＨｚのチャネル幅を有する単一チャネルを含む。
【０２０１】
例２７は、例２５の主題を含み、任意で、複数のワイドチャネルは、６．４８ＧＨｚのチャネル幅を有する第１及び第２の重複チャネルを含む。
【０２０２】
例２８は、例１７〜２７のいずれか１つの主題を含み、任意で、複数のワイドチャネルは、８．６４ギガヘルツ（ＧＨｚ）のチャネル幅を有するチャネルを含む。
【０２０３】
例２９は、例１７〜２８のいずれか１つの主題を含み、任意で、ｍｍＷａｖｅ周波数帯域は指向性マルチギガビット（ＤＭＧ）帯域である。
【０２０４】
例３０は、例１７〜２９のいずれか１つの主題を含み、任意で、無線ステーションは指向性マルチギガビット（ＤＭＧ）ステーション（ＳＴＡ）である。
【０２０５】
例３１は、無線ステーションで実行される方法を含む。方法は、ミリ波（ｍｍＷａｖｅ）周波数帯域を介した送信のために構成されたフレームを生成するステップと、予め定義されたチャネル幅を有する複数のチャネルとワイドチャネルを含む複数のワイドチャネルとを含む帯域プランに従って、ｍｍＷａｖｅ周波数帯域内のワイドチャネルを介してフレームの指向性送信を処理するステップとを含み、ワイドチャネルは予め定義されたチャネル幅の整数倍の幅を有する。
【０２０６】
例３２は、例３１の主題を含み、任意で、ワイドチャネルは、予め定義されたチャネル幅を有する複数のチャネルのうちの少なくとも２つのチャネルを含む。
【０２０７】
例３３は、例３２の主題を含み、任意で、ワイドチャネルは、少なくとも２つのチャネルによって形成された結合チャネルを含む。
【０２０８】
例３４は、例３１〜３３のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０２０９】
例３５は、例３１〜３４のいずれか１つの主題を含み、任意で、予め定義されたチャネル幅を有する複数のチャネルは４つチャネルを含み、４つチャネルのチャネルは２．１６ギガヘルツ（ＧＨｚ）のチャネル幅を有する。
【０２１０】
例３６は、例３１〜３５のいずれか１つの主題を含み、任意で、複数のワイドチャネルは、４．３２ギガヘルツ（ＧＨｚ）のチャネル幅を有する少なくとも２つのワイドチャネルを含む。
【０２１１】
例３７は、例３６の主題を含み、任意で、複数のワイドチャネルは、４．３２ＧＨｚのチャネル幅を有する第１及び第２の非重複ワイドチャネルを含む。
【０２１２】
例３８は、例３６の主題を含み、任意で、複数のワイドチャネルは、４．３２ＧＨｚのチャネル幅を有する３つの重複ワイドチャネルを含む。
【０２１３】
例３９は、例３１〜３８のいずれか１つの主題を含み、任意で、複数のワイドチャネルは、６．４８ギガヘルツ（ＧＨｚ）のチャネル幅を有する１つ以上のチャネルを含む。
【０２１４】
例４０は、例３９の主題を含み、任意で、複数のワイドチャネルは、６．４８ＧＨｚのチャネル幅を有する単一チャネルを含む。
【０２１５】
例４１は、例３９の主題を含み、任意で、複数のワイドチャネルは、６．４８ＧＨｚのチャネル幅を有する第１及び第２の重複チャネルを含む。
【０２１６】
例４２は、例３１〜４１のいずれか１つの主題を含み、任意で、複数のワイドチャネルは、８．６４ギガヘルツ（ＧＨｚ）のチャネル幅を有するチャネルを含む。
【０２１７】
例４３は、例３１〜４２のいずれか１つの主題を含み、任意で、ｍｍＷａｖｅ周波数帯域は指向性マルチギガビット（ＤＭＧ）帯域である。
【０２１８】
例４４は、例３１〜４３のいずれか１つの主題を含み、任意で、無線ステーションは指向性マルチギガビット（ＤＭＧ）ステーション（ＳＴＡ）である。
【０２１９】
例４５は、コンピュータ実行可能な命令を含む、１つ以上の有形のコンピュータ読み取り可能非一時的記憶媒体を含む製品を含む。命令は、少なくとも１つのコンピュータプロセッサによって実行されると、少なくとも１つのコンピュータプロセッサが無線ステーションで１つ以上の動作を実装することを可能にする。動作は、ミリ波（ｍｍＷａｖｅ）周波数帯域を介した送信のために構成されたフレームを生成するステップと、予め定義されたチャネル幅を有する複数のチャネルとワイドチャネルを含む複数のチャネルとを含む帯域プランに従って、ｍｍＷａｖｅ周波数帯域内のワイドチャネルを介してフレームの指向性送信を処理するステップとを含み、ワイドチャネルは予め定義されたチャネル幅の整数倍の幅を有する。
【０２２０】
例４６は、例４５の主題を含み、任意で、ワイドチャネルは、予め定義されたチャネル幅を有する複数のチャネルのうちの少なくとも２つのチャネルを含む。
【０２２１】
例４７は、例４６の主題を含み、任意で、ワイドチャネルは、少なくとも２つのチャネルによって形成された結合チャネルを含む。
【０２２２】
例４８は、例４５〜４７のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０２２３】
例４９は、例４５〜４８のいずれか１つの主題を含み、任意で、予め定義されたチャネル幅を有する複数のチャネルは４つのチャネルを含み、４つのチャネルのチャネルは２．１６ギガヘルツ（ＧＨｚ）のチャネル幅を有する。
【０２２４】
例５０は、例４５〜４９のいずれか１つの主題を含み、任意で、複数のワイドチャネルは、４．３２ギガヘルツ（ＧＨｚ）のチャネル幅を有する少なくとも２つのワイドチャネルを含む。
【０２２５】
例５１は、例５０の主題を含み、任意で、複数のワイドチャネルは、４．３２ＧＨｚのチャネル幅を有する第１及び第２の非重複ワイドチャネルを含む。
【０２２６】
例５２は、例５０の主題を含み、任意で、複数のワイドチャネルは、４．３２ＧＨｚのチャネル幅を有する３つの重複ワイドチャネルを含む。
【０２２７】
例５３は、例４５〜５２のいずれか１つの主題を含み、任意で、複数のワイドチャネルは、６．４８ギガヘルツ（ＧＨｚ）のチャネル幅を有する１つ以上のチャネルを含む。
【０２２８】
例５４は、例５３の主題を含み、任意で、複数のワイドチャネルは、６．４８ＧＨｚのチャネル幅を有する単一チャネルを含む。
【０２２９】
例５５は、例５３の主題を含み、任意で、複数のワイドチャネルは、６．４８ＧＨｚのチャネル幅を有する第１及び第２の重複チャネルを含む。
【０２３０】
例５６は、例４５〜５５のいずれか１つの主題を含み、任意で、複数のワイドチャネルは、８．６４ギガヘルツ（ＧＨｚ）のチャネル幅を有するチャネルを含む。
【０２３１】
例５７は、例４５〜５６のいずれか１つの主題を含み、任意で、ｍｍＷａｖｅ周波数帯域は指向性マルチギガビット（ＤＭＧ）帯域である。
【０２３２】
例５８は、例４５〜５７のいずれか１つの主題を含み、任意で、無線ステーションは指向性マルチギガビット（ＤＭＧ）ステーション（ＳＴＡ）である。
【０２３３】
例５９は、無線ステーションによる無線通信の装置を含む。装置は、ミリ波（ｍｍＷａｖｅ）周波数帯域を介した送信のために構成されたフレームを生成する手段と、予め定義されたチャネル幅を有する複数のチャネルとワイドチャネルを含む複数のワイドチャネルとを含む帯域プランに従って、ｍｍＷａｖｅ周波数帯域内のワイドチャネルを介してフレームの指向性送信を処理する手段とを含み、ワイドチャネルは予め定義されたチャネル幅の整数倍の幅を有する。
【０２３４】
例６０は、例５９の主題を含み、任意で、ワイドチャネルは、予め定義されたチャネル幅を有する複数のチャネルのうちの少なくとも２つのチャネルを含む。
【０２３５】
例６１は、例６０の主題を含み、任意で、ワイドチャネルは、少なくとも２つのチャネルによって形成された結合チャネルを含む。
【０２３６】
例６２は、例５９〜６１のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０２３７】
例６３は、例５９〜６２のいずれか１つの主題を含み、任意で、予め定義されたチャネル幅を有する複数のチャネルは４つのチャネルを含み、４つのチャネルのチャネルは２．１６ギガヘルツ（ＧＨｚ）のチャネル幅を有する。
【０２３８】
例６４は、例５９〜６３のいずれか１つの主題を含み、任意で、複数のワイドチャネルは、４．３２ギガヘルツ（ＧＨｚ）のチャネル幅を有する少なくとも２つのワイドチャネルを含む。
【０２３９】
例６５は、例６４の主題を含み、任意で、複数のワイドチャネルは、４．３２ＧＨｚのチャネル幅を有する第１及び第２の非重複ワイドチャネルを含む。
【０２４０】
例６６は、例６４の主題を含み、任意で、複数のワイドチャネルは、４．３２ＧＨｚのチャネル幅を有する３つの重複ワイドチャネルを含む。
【０２４１】
例６７は、例５９〜６６のいずれか１つの主題を含み、任意で、複数のワイドチャネルは、６．４８ギガヘルツ（ＧＨｚ）のチャネル幅を有する１つ以上のチャネルを含む。
【０２４２】
例６８は、例６７の主題を含み、任意で、複数のワイドチャネルは、６．４８ＧＨｚのチャネル幅を有する単一チャネルを含む。
【０２４３】
例６９は、例６７の主題を含み、任意で、複数のワイドチャネルは、６．４８ＧＨｚのチャネル幅を有する第１及び第２の重複チャネルを含む。
【０２４４】
例７０は、例５９〜６９のいずれか１つの主題を含み、任意で、複数のワイドチャネルは、８．６４ギガヘルツ（ＧＨｚ）のチャネル幅を有するチャネルを含む。
【０２４５】
例７１は、例５９〜７０のいずれか１つの主題を含み、任意で、ｍｍＷａｖｅ周波数帯域は指向性マルチギガビット（ＤＭＧ）帯域である。
【０２４６】
例７２は、例５９〜７１のいずれか１つの主題を含み、任意で、無線ステーションは指向性マルチギガビット（ＤＭＧ）ステーション（ＳＴＡ）である。
【０２４７】
例７３は、無線ステーションに、予め定義されたチャネル幅を有する複数のチャネルとワイドチャネルを含む複数のワイドチャネル（ワイドチャネルは予め定義されたチャネル幅の整数倍の幅を有する）を含む帯域プランに従って、ｍｍＷａｖｅ周波数帯域内のワイドチャネルを介したフレームの指向性受信を処理することと、フレームの少なくとも一部を処理することとをさせるように構成された回路を含む装置を含む。
【０２４８】
例７４は、例７３の主題を含み、任意で、ワイドチャネルは、予め定義されたチャネル幅を有する複数のチャネルのうちの少なくとも２つのチャネルを含む。
【０２４９】
例７５は、例７４の主題を含み、任意で、ワイドチャネルは、少なくとも２つのチャネルによって形成された結合チャネルを含む。
【０２５０】
例７６は、例７３〜７５のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０２５１】
例７７は、例７３〜７６のいずれか１つの主題を含み、任意で、予め定義されたチャネル幅を有する複数のチャネルは４つのチャネルを含み、４つチャネルのチャネルは２．１６ギガヘルツ（ＧＨｚ  ）のチャネル幅を有する。
【０２５２】
例７８は、例７３〜７７のいずれか１つの主題を含み、任意で、複数のワイドチャネルは、４．３２ギガヘルツ（ＧＨｚ）のチャネル幅を有する少なくとも２つのワイドチャネルを含む。
【０２５３】
例７９は、例７８の主題を含み、任意で、複数のワイドチャネルは、４．３２ＧＨｚのチャネル幅を有する第１及び第２の非重複ワイドチャネルを含む。
【０２５４】
例８０は、例７８の主題を含み、任意で、複数のワイドチャネルは、４．３２ＧＨｚのチャネル幅を有する３つの重複ワイドチャネルを含む。
【０２５５】
例８１は、例７３〜８０のいずれか１つの主題を含み、任意で、複数のワイドチャネルは、６．４８ギガヘルツ（ＧＨｚ）のチャネル幅を有する１つ以上のチャネルを含む。
【０２５６】
例８２は、例８１の主題を含み、任意で、複数のワイドチャネルは、６．４８ＧＨｚのチャネル幅を有する単一チャネルを含む。
【０２５７】
例８３は、例８１の主題を含み、任意で、複数のワイドチャネルは、６．４８ＧＨｚのチャネル幅を有する第１及び第２の重複チャネルを含む。
【０２５８】
例８４は、例７３〜８３のいずれか１つの主題を含み、任意で、複数のワイドチャネルは、８．６４ギガヘルツ（ＧＨｚ）のチャネル幅を有するチャネルを含む。
【０２５９】
例８５は、例７３〜８４のいずれか１つの主題を含み、任意で、ｍｍＷａｖｅ周波数帯域は指向性マルチギガビット（ＤＭＧ）帯域である。
【０２６０】
例８６は、例７３〜８５のいずれか１つの主題を含み、任意で、無線ステーションは指向性マルチギガビット（ＤＭＧ）ステーション（ＳＴＡ）である。
【０２６１】
例８７は、例７３〜８６のいずれか１つの主題を含み、任意で、フレームを受信する受信機を含む。
【０２６２】
例８８は、例７３〜８７のいずれか１つの主題を含み、任意で、１つ以上の指向性アンテナと、メモリと、プロセッサとを含む。
【０２６３】
例８９は、無線ステーションを含む無線通信のシステムを含む。無線ステーションは、１つ以上の指向性アンテナと、メモリと、プロセッサと、予め定義されたチャネル幅を有する複数のチャネルとワイドチャネルを含む複数のワイドチャネル（ワイドチャネルは予め定義されたチャネル幅の整数倍の幅を有する）を含む帯域プランに従って、ｍｍＷａｖｅ周波数帯域内のワイドチャネルを介したフレームの指向性受信を処理する無線機とを含む。
【０２６４】
例９０は、例８９の主題を含み、任意で、ワイドチャネルは、予め定義されたチャネル幅を有する複数のチャネルのうちの少なくとも２つのチャネルを含む。
【０２６５】
例９１は、例９０の主題を含み、任意で、ワイドチャネルは、少なくとも２つのチャネルによって形成された結合チャネルを含む。
【０２６６】
例９２は、例８９〜９１のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０２６７】
例９３は、例８９〜９２のいずれか１つの主題を含み、任意で、予め定義されたチャネル幅を有する複数のチャネルが４つのチャネルを含み、４つチャネルのチャネルは２．１６ギガヘルツ（ＧＨｚ）のチャネル幅を有する。
【０２６８】
例９４は、例８９〜９３のいずれか１つの主題を含み、任意で、複数のワイドチャネルは、４．３２ギガヘルツ（ＧＨｚ）のチャネル幅を有する少なくとも２つのワイドチャネルを含む。
【０２６９】
例９５は、例９４の主題を含み、任意で、複数のワイドチャネルは、４．３２ＧＨｚのチャネル幅を有する第１及び第２の非重複ワイドチャネルを含む。
【０２７０】
例９６は、例９４の主題を含み、任意で、複数のワイドチャネルは、４．３２ＧＨｚのチャネル幅を有する３つの重複ワイドチャネルを含む。
【０２７１】
例９７は、例８９〜９６のいずれか１つの主題を含み、任意で、複数のワイドチャネルは、６．４８ギガヘルツ（ＧＨｚ）のチャネル幅を有する１つ以上のチャネルを含む。
【０２７２】
例９８は、例９７の主題を含み、任意で、複数のワイドチャネルは、６．４８ＧＨｚのチャネル幅を有する単一チャネルを含む。
【０２７３】
例９９は、例９７の主題を含み、任意で、複数のワイドチャネルは、６．４８ＧＨｚのチャネル幅を有する第１及び第２の重複チャネルを含む。
【０２７４】
例１００は、例８９〜９９のいずれか１つの主題を含み、任意で、複数のワイドチャネルは、８．６４ギガヘルツ（ＧＨｚ）のチャネル幅を有するチャネルを含む。
【０２７５】
例１０１は、例８９〜１００のいずれか１つの主題を含み、任意で、ｍｍＷａｖｅ周波数帯域は指向性マルチギガビット（ＤＭＧ）帯域である。
【０２７６】
例１０２は、例８９〜１０１のいずれか１つの主題を含み、任意で、無線ステーションが指向性マルチギガビット（ＤＭＧ）ステーション（ＳＴＡ）である。
【０２７７】
例１０３は、無線ステーションで実行される方法を含む。方法は、予め定義されたチャネル幅を有する複数のチャネルとワイドチャネルを含む複数のワイドチャネル（ワイドチャネルは予め定義されたチャネル幅の整数倍の幅を有する）を含む帯域プランに従って、ｍｍＷａｖｅ周波数帯域内のワイドチャネルを介したフレームの指向性受信を処理するステップと、フレームの少なくとも一部を処理するステップとを含む。
【０２７８】
例１０４は、例１０３の主題を含み、任意で、ワイドチャネルは、予め定義されたチャネル幅を有する複数のチャネルのうちの少なくとも２つのチャネルを含む。
【０２７９】
例１０５は、例１０４の主題を含み、任意で、ワイドチャネルは、少なくとも２つのチャネルによって形成された結合チャネルを含む。
【０２８０】
例１０６は、例１０３〜１０５のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０２８１】
例１０７は、例１０３〜１０６のいずれか１つの主題を含み、任意で、予め定義されたチャネル幅を有する複数のチャネルは、４つのチャネルを含み、４つチャネルのチャネルは２．１６ギガヘルツ（ＧＨｚ）のチャネル幅を有する。
【０２８２】
例１０８は、例１０３〜１０７のいずれか１つの主題を含み、任意で、複数のワイドチャネルは、４．３２ギガヘルツ（ＧＨｚ）のチャネル幅を有する少なくとも２つのワイドチャネルを含む。
【０２８３】
例１０９は、例１０８の主題を含み、任意で、複数のワイドチャネルは、４．３２ＧＨｚのチャネル幅を有する第１及び第２の非重複ワイドチャネルを含む。
【０２８４】
例１１０は、例１０８の主題を含み、任意で、複数のワイドチャネルは、４．３２ＧＨｚのチャネル幅を有する３つの重複ワイドチャネルを含む。
【０２８５】
例１１１は、例１０３〜１１０のいずれか１つの主題を含み、任意で、複数のワイドチャネルは、６．４８ギガヘルツ（ＧＨｚ）のチャネル幅を有する１つ以上のチャネルを含む。
【０２８６】
例１１２は、例１１１の主題を含み、任意で、複数のワイドチャネルは、６．４８ＧＨｚのチャネル幅を有する単一チャネルを含む。
【０２８７】
例１１３は、例１１１の主題を含み、任意で、複数のワイドチャネルは、６．４８ＧＨｚのチャネル幅を有する第１及び第２の重複チャネルを含む。
【０２８８】
例１１４は、例１０３〜１１３のいずれか１つの主題を含み、任意で、複数のワイドチャネルは、８．６４ギガヘルツ（ＧＨｚ）のチャネル幅を有するチャネルを含む。
【０２８９】
例１１５は、例１０３〜１１４のいずれか１つの主題を含み、任意で、ｍｍＷａｖｅ周波数帯域は指向性マルチギガビット（ＤＭＧ）帯域である。
【０２９０】
例１１６は、例１０３〜１１５のいずれか１つの主題を含み、任意で、無線ステーションが指向性マルチギガビット（ＤＭＧ）ステーション（ＳＴＡ）である。
【０２９１】
例１１７は、コンピュータ実行可能な命令を含む、１つ以上の有形のコンピュータ読み取り可能非一時的記憶媒体を含む製品を含む。命令は、少なくとも１つのコンピュータプロセッサによって実行されると、少なくとも１つのコンピュータプロセッサが無線ステーションで１つ以上の動作を実装することを可能にする。動作は、予め定義されたチャネル幅を有する複数のチャネルとワイドチャネルを含む複数のワイドチャネル（ワイドチャネルは予め定義されたチャネル幅の整数倍の幅を有する）を含む帯域プランに従って、ｍｍＷａｖｅ周波数帯域内のワイドチャネルを介したフレームの指向性受信を処理するステップと、フレームの少なくとも一部を処理するステップとを含む。
【０２９２】
例１１８は、例１１７の主題を含み、任意で、ワイドチャネルは、予め定義されたチャネル幅を有する複数のチャネルのうちの少なくとも２つのチャネルを含む。
【０２９３】
例１１９は、例１１８の主題を含み、任意で、ワイドチャネルは、少なくとも２つのチャネルによって形成された結合チャネルを含む。
【０２９４】
例１２０は、例１１７〜１１９のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０２９５】
例１２１は、例１１７〜１２０のいずれか１つの主題を含み、任意で、予め定義されたチャネル幅を有する複数のチャネルは４つのチャネルを含み、４つのチャネルのチャネルは２．１６ギガヘルツ（ＧＨｚ）のチャネル幅を有する。
【０２９６】
例１２２は、例１１７〜１２１のいずれか１つの主題を含み、任意で、複数のワイドチャネルは、４．３２ギガヘルツ（ＧＨｚ）のチャネル幅を有する少なくとも２つのワイドチャネルを含む。
【０２９７】
例１２３は、例１２２の主題を含み、任意で、複数のワイドチャネルは、４．３２ＧＨｚのチャネル幅を有する第１及び第２の非重複ワイドチャネルを含む。
【０２９８】
例１２４は、例１２２の主題を含み、任意で、複数のワイドチャネルは、４．３２ＧＨｚのチャネル幅を有する３つの重複ワイドチャネルを含む。
【０２９９】
例１２５は、例１１７〜１２４のいずれか１つの主題を含み、任意で、複数のワイドチャネルは、６．４８ギガヘルツ（ＧＨｚ）のチャネル幅を有する１つ以上のチャネルを含む。
【０３００】
例１２６は、例１２５の主題を含み、任意で、複数のワイドチャネルは、６．４８ＧＨｚのチャネル幅を有する単一チャネルを含む。
【０３０１】
例１２７は、例１２５の主題を含み、任意で、複数のワイドチャネルは、６．４８ＧＨｚのチャネル幅を有する第１及び第２の重複チャネルを含む。
【０３０２】
例１２８は、例１１７〜１２７のいずれか１つの主題を含み、任意で、複数のワイドチャネルは、８．６４ギガヘルツ（ＧＨｚ）のチャネル幅を有するチャネルを含む。
【０３０３】
例１２９は、例１１７〜１２８のいずれか１つの主題を含み、任意で、ｍｍＷａｖｅ周波数帯域は指向性マルチギガビット（ＤＭＧ）帯域である。
【０３０４】
例１３０は、例１１７〜１２９のいずれか１つの主題を含み、任意で、無線ステーションは指向性マルチギガビット（ＤＭＧ）ステーション（ＳＴＡ）である。
【０３０５】
例１３１は、無線ステーションによる無線通信の装置を含む。装置は、予め定義されたチャネル幅を有する複数のチャネルとワイドチャネルを含む複数のワイドチャネル（ワイドチャネルは予め定義されたチャネル幅の整数倍の幅を有する）を含む帯域プランに従って、ｍｍＷａｖｅ周波数帯域内のワイドチャネルを介したフレームの指向性受信を処理する手段と、フレームの少なくとも一部を処理する手段とを含む。
【０３０６】
例１３２は、例１３１の主題を含み、任意で、ワイドチャネルは、予め定義されたチャネル幅を有する複数のチャネルのうちの少なくとも２つのチャネルを含む。
【０３０７】
例１３３は、例１３２の主題を含み、任意で、ワイドチャネルは、少なくとも２つのチャネルによって形成される結合チャネルを含む。
【０３０８】
例１３４は、例１３１〜１３３のいずれか１つの主題を含み、任意で、複数のワイドチャネルのうちの各ワイドチャネルは、予め定義されたチャネル幅を有する複数のチャネルのうちの少なくとも２つの異なる組み合わせを含む。
【０３０９】
例１３５は、例１３１〜１３４のいずれか１つの主題を含み、任意で、予め定義されたチャネル幅を有する複数のチャネルは４つのチャネルを含み、４つのチャネルのチャネルは２．１６ギガヘルツ（ＧＨｚ）のチャネル幅を有する。
【０３１０】
例１３６は、例１３１〜１３５のいずれか１つの主題を含み、任意で、複数のワイドチャネルは、４．３２ギガヘルツ（ＧＨｚ）のチャネル幅を有する少なくとも２つのワイドチャネルを含む。
【０３１１】
例１３７は、例１３６の主題を含み、任意で、複数のワイドチャネルは、４．３２ＧＨｚのチャネル幅を有する第１及び第２の非重複ワイドチャネルを含む。
【０３１２】
例１３８は、例１３６の主題を含み、任意で、複数のワイドチャネルは、４．３２ＧＨｚのチャネル幅を有する３つの重複ワイドチャネルを含む。
【０３１３】
例１３９は、例１３１〜１３８のいずれか１つの主題を含み、任意で、複数のワイドチャネルは、６．４８ギガヘルツ（ＧＨｚ）のチャネル幅を有する１つ以上のチャネルを含む。
【０３１４】
例１４０は、例１３９の主題を含み、任意で、複数のワイドチャネルは、６．４８ＧＨｚのチャネル幅を有する単一チャネルを含む。
【０３１５】
例１４１は、例１３９の主題を含み、任意で、複数のワイドチャネルは、６．４８ＧＨｚのチャネル幅を有する第１及び第２の重複チャネルを含む。
【０３１６】
例１４２は、例１３１〜１４１のいずれか１つの主題を含み、任意で、複数のワイドチャネルは、８．６４ギガヘルツ（ＧＨｚ）のチャネル幅を有するチャネルを含む。
【０３１７】
例１４３は、例１３１〜１４２のいずれか１つの主題を含み、任意で、ｍｍＷａｖｅ周波数帯域は指向性マルチギガビット（ＤＭＧ）帯域である。
【０３１８】
例１４４は、例１３１〜１４３の任意の１つの主題を含み、任意で、無線ステーションは指向性マルチギガビット（ＤＭＧ）ステーション（ＳＴＡ）である。
【０３１９】
１つ以上の実施形態を参照して本明細書で説明した機能、動作、コンポーネント及び／又は特徴は、１つ以上の他の実施形態を参照して本明細書で説明した機能、動作、コンポーネント及び／又は特徴と組み合わされる、あるいはそれらと組み合わせて利用され得る。逆の場合も同様である。
【０３２０】
特定の特徴を本明細書に図示し説明したが、当業者であれば多くの修正、置換、変更及び等価物を思い付くことができる。したがって、添付の特許請求の範囲が本開示の真の精神に含まれるすべてのそのような修正及び変更を包含することを意図していると理解するべきである。
【図１】
2018524829.tif 000003
【図２】
2018524829.tif 000004
【図３】
2018524829.tif 000005
【図４】
2018524829.tif 000006
【図５】
2018524829.tif 000007
【国際調査報告】
2018524829.tif 000008
2018524829.tif 000009
2018524829.tif 000010